(57)【要約】  通信チャネルへのアクセスを制限するためのデバイス、システム、製造品、および方法について説明する。いくつかの実施形態によれば、少なくとも１つのワイヤレス通信デバイスに宛てられる、アクセス制限データをもつメッセージが生成される。アクセス制限データは、ワイヤレス通信デバイスのグループが優先度値に関連付けられることと、ワイヤレス通信デバイスのグループが通信チャネルへの制限付きアクセスを有することとを示す。メッセージは、少なくとも１つのワイヤレス通信デバイスに送信される。また、他の態様、実施形態、および特徴を請求し、説明する。
2014510507.tif 000002
【特許請求の範囲】
【請求項１】
通信チャネルへのアクセスを制限するための方法であって、
少なくとも１つのワイヤレス通信デバイスに宛てられる、アクセス制限データを備えるメッセージを生成することであって、前記アクセス制限データは、ワイヤレス通信デバイスのグループが優先度値に関連付けられることと、ワイヤレス通信デバイスの前記グループが通信チャネルへの制限付きアクセスを有することとを示す、生成することと、
前記少なくとも１つのワイヤレス通信デバイスに前記メッセージを送信することと
を備える、方法。
【請求項２】
前記方法が基地局によって実行される、請求項１に記載の方法。
【請求項３】
前記アクセス制限データが、パケット処理と回線交換処理の両方に好適である、請求項１に記載の方法。
【請求項４】
前記優先度値が優先度値のセットを備え、前記アクセス制限データを生成することが、優先度値の前記セットを生成する、請求項１に記載の方法。
【請求項５】
前記メッセージの一部分が、アクセス制限データを備える休止オクテット情報要素である、請求項１に記載の方法。
【請求項６】
前記メッセージは、指定されたワイヤレス通信デバイスによる指定された通信チャネルへのアクセスが許可されるかどうかをさらに示す、請求項５に記載の方法。
【請求項７】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項５に記載の方法。
【請求項８】
前記アクセス制限データは、前記優先度値に関連するワイヤレス通信デバイスが制限付きアクセスを有する時間間隔を示す、請求項１に記載の方法。
【請求項９】
前記時間間隔が、時間間隔のセットのうちの１つの時間間隔を備え、前記アクセス制限データを生成することが前記１つの時間間隔をさらに示す、請求項８に記載の方法。
【請求項１０】
前記１つの時間間隔が、
１〜１２０秒の範囲と、
１〜６０分の範囲と、
１〜２４時間の範囲と、
１〜１５日の範囲と
のうちの１つである範囲を有する時間間隔範囲である、請求項９に記載の方法。
【請求項１１】
前記通信チャネルが、ワイヤレス通信システムにおいてワイヤレス通信デバイスによる使用のために利用可能である複数の専用チャネルを備え、前記優先度値が関連付けられたワイヤレス通信デバイスが、前記時間間隔中に前記複数の専用チャネルのいずれにもアクセスできない、請求項８に記載の方法。
【請求項１２】
前記優先度値が受信機から取得される、請求項１に記載の方法。
【請求項１３】
前記メッセージが、前記少なくとも１つのワイヤレス通信デバイスに宛てられたページングメッセージであり、前記メッセージを送信することが、ページングチャネル上で前記ページングメッセージを送信することを備える、請求項１に記載の方法。
【請求項１４】
前記ページングメッセージの一部分が休止オクテット情報要素を備える、請求項１３に記載の方法。
【請求項１５】
前記メッセージが、前記少なくとも１つのワイヤレス通信デバイスに宛てられたアクセスメッセージを備え、前記メッセージを送信することが、アクセスチャネル上で前記アクセスメッセージを送信することを備える、請求項１に記載の方法。
【請求項１６】
前記アクセスメッセージの一部分が休止オクテット情報要素を備える、請求項１５に記載の方法。
【請求項１７】
ワイヤレス通信デバイスによる通信チャネルへのアクセスを制限するための方法であって、
アクセス制限データを備えるメッセージを受信することであって、前記アクセス制限データは、ワイヤレス通信デバイスのグループが優先度値に関連付けられることと、ワイヤレス通信デバイスの前記グループが通信チャネルへの制限付きアクセスを有することとを示す、受信することと、
前記アクセス制限データによって与えられた前記指示に基づいて前記通信チャネルへのアクセスを制限することと
を備える、方法。
【請求項１８】
前記メッセージの一部分が、アクセス制限データを備える休止オクテット情報要素であり、アクセスを制限することが前記休止オクテット情報要素にさらに基づく、請求項１７に記載の方法。
【請求項１９】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項１８に記載の方法。
【請求項２０】
前記優先度値が優先度値のセットを備え、前記アクセス制限データを生成することが、優先度値の前記セットを生成する、請求項１７に記載の方法。
【請求項２１】
前記ワイヤレス通信デバイスが記憶された優先度値を備え、アクセスを制限することは、前記優先度値が前記記憶された優先度値を備えるときに行われる、請求項１７に記載の方法。
【請求項２２】
前記通信チャネルがアップリンク通信チャネルを備える、請求項１７に記載の方法。
【請求項２３】
前記アップリンク通信チャネルを介してアップリンクデータを送信することをさらに備える、請求項２２に記載の方法。
【請求項２４】
前記アップリンクデータが前記通信チャネルへのアクセスの要求を備える、請求項２３に記載の方法。
【請求項２５】
前記アクセス制限データは、前記優先度値に関連するワイヤレス通信デバイスが制限付きアクセスを有する時間間隔を示す、請求項１７に記載の方法。
【請求項２６】
アクセスを制限することが、前記時間間隔内の時間の値にさらに基づく、請求項２５に記載の方法。
【請求項２７】
時間の前記値が経過したとき、前記通信チャネルへのアクセス制限を取り除くことをさらに備える、請求項２６に記載の方法。
【請求項２８】
前記時間間隔が、時間間隔のセットのうちの１つの時間間隔を備え、前記アクセス制限データを生成することが前記１つの時間間隔をさらに示す、請求項２５に記載の方法。
【請求項２９】
前記１つの時間間隔が、１〜１２０秒の範囲と、１〜６０分の範囲と、１〜２４時間の範囲と、１〜１５日の範囲とのうちの１つである時間間隔範囲である、請求項２８に記載の方法。
【請求項３０】
前記通信チャネルが、ワイヤレス通信システムにおいてワイヤレス通信デバイスによる使用のために利用可能である複数の専用チャネルを備え、前記優先度値が関連付けられたワイヤレス通信デバイスは、前記時間間隔中に前記複数の専用チャネルのいずれにもアクセスできない、請求項２５に記載の方法。
【請求項３１】
前記メッセージは、指定されたワイヤレス通信デバイスによる指定された通信チャネルへのアクセスが許可されるかどうかをさらに示す、請求項１７に記載の方法。
【請求項３２】
前記メッセージが、ページングメッセージであり、ページングチャネル上で受信される、請求項１７に記載の方法。
【請求項３３】
前記メッセージが、アクセスメッセージであり、アクセスチャネル上で受信される、請求項１７に記載の方法。
【請求項３４】
通信チャネルへのアクセスを制限するための装置であって、
プロセッサと、
前記プロセッサと電子通信しているメモリと、
前記メモリに記憶された命令と
を備え、前記命令が、前記プロセッサによって、
少なくとも１つのワイヤレス通信デバイスに宛てられる、アクセス制限データを備えるメッセージを生成することであって、前記アクセス制限データは、ワイヤレス通信デバイスのグループが優先度値に関連付けられることと、ワイヤレス通信デバイスの前記グループが通信チャネルへの制限付きアクセスを有することとを示す、生成することと、
前記少なくとも１つのワイヤレス通信デバイスに前記メッセージを送信することと
を行うように実行可能である、装置。
【請求項３５】
前記メッセージの一部分が、アクセス制限データを備える休止オクテット情報要素である、請求項３４に記載の装置。
【請求項３６】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項３５に記載の装置。
【請求項３７】
前記アクセス制限データは、前記優先度値に関連するワイヤレス通信デバイスが制限付きアクセスを有する時間間隔を示す、請求項３４に記載の装置。
【請求項３８】
通信チャネルへのアクセスを制限するためのワイヤレス通信デバイスであって、
プロセッサと、
前記プロセッサと電子通信しているメモリと、
前記メモリに記憶された命令と
を備え、前記命令が、前記プロセッサによって、
アクセス制限データを備えるメッセージを受信することであって、前記アクセス制限データは、ワイヤレス通信デバイスのグループが優先度値に関連付けられることと、ワイヤレス通信デバイスの前記グループが通信チャネルへの制限付きアクセスを有することとを示す、受信することと、
前記アクセス制限データによって与えられた前記指示に基づいて前記通信チャネルへのアクセスを制限することと
を行うように実行可能である、ワイヤレス通信デバイス。
【請求項３９】
前記メッセージの一部分が、アクセス制限データを備える休止オクテット情報要素であり、アクセスを制限することが前記休止オクテット情報要素にさらに基づく、請求項３８に記載のワイヤレス通信デバイス。
【請求項４０】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項３９に記載のワイヤレス通信デバイス。
【請求項４１】
前記ワイヤレス通信デバイスが記憶された優先度値を備え、アクセスを制限することは、前記優先度値が前記記憶された優先度値を備えるときに行われる、請求項３８に記載のワイヤレス通信デバイス。
【請求項４２】
通信チャネルへのアクセスを制限するためのコンピュータプログラム製品であって、前記コンピュータプログラム製品が、命令をその上に有する非一時的コンピュータ可読媒体を備え、前記命令が、
基地局に、少なくとも１つのワイヤレス通信デバイスに宛てられる、アクセス制限データを備えるメッセージを生成させるためのコードであって、前記アクセス制限データは、ワイヤレス通信デバイスのグループが優先度値に関連付けられることと、ワイヤレス通信デバイスの前記グループが通信チャネルへの制限付きアクセスを有することとを示す、生成させるためのコードと、
基地局に、前記少なくとも１つのワイヤレス通信デバイスに前記メッセージを送信させるためのコードと
を備える、コンピュータプログラム製品。
【請求項４３】
前記メッセージの一部分が、アクセス制限データを備える休止オクテット情報要素である、請求項４２に記載のコンピュータプログラム製品。
【請求項４４】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項４３に記載のコンピュータプログラム製品。
【請求項４５】
前記アクセス制限データは、前記優先度値に関連するワイヤレス通信デバイスが制限付きアクセスを有する時間間隔を示す、請求項４２に記載のコンピュータプログラム製品。
【請求項４６】
ワイヤレス通信デバイス上で通信チャネルへのアクセスを制限するためのコンピュータプログラム製品であって、前記コンピュータプログラム製品が、命令をその上に有する非一時的コンピュータ可読媒体を備え、前記命令が、
ワイヤレス通信デバイスに、アクセス制限データを備えるメッセージを受信させるためのコードであって、前記アクセス制限データは、ワイヤレス通信デバイスのグループが優先度値に関連付けられることと、ワイヤレス通信デバイスの前記グループが通信チャネルへの制限付きアクセスを有することとを示す、受信させるためのコードと、
ワイヤレス通信デバイスに、前記アクセス制限データによって与えられた前記指示に基づいて前記通信チャネルへのアクセスを制限させるためのコードと
を備える、コンピュータプログラム製品。
【請求項４７】
前記メッセージの一部分が、アクセス制限データを備える休止オクテット情報要素であり、アクセスを制限することが前記休止オクテット情報要素にさらに基づく、請求項４６に記載のコンピュータプログラム製品。
【請求項４８】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項４７に記載のコンピュータプログラム製品。
【請求項４９】
前記ワイヤレス通信デバイスが記憶された優先度値を備え、アクセスを制限することは、前記優先度値が前記記憶された優先度値を備えるときに行われる、請求項４６に記載のコンピュータプログラム製品。
【請求項５０】
通信チャネルへのアクセスを制限するための装置であって、
少なくとも１つのワイヤレス通信デバイスに宛てられる、アクセス制限データを備えるメッセージを生成するための手段であって、前記アクセス制限データは、ワイヤレス通信デバイスのグループが優先度値に関連付けられることと、ワイヤレス通信デバイスの前記グループが通信チャネルへの制限付きアクセスを有することとを示す、生成するための手段と、
前記少なくとも１つのワイヤレス通信デバイスに前記メッセージを送信するための手段と
を備える装置。
【請求項５１】
前記メッセージの一部分が、アクセス制限データを備える休止オクテット情報要素である、請求項５０に記載の装置。
【請求項５２】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項５１に記載の装置。
【請求項５３】
前記アクセス制限データは、前記優先度値に関連するワイヤレス通信デバイスが制限付きアクセスを有する時間間隔を示す、請求項５０に記載のコンピュータプログラム製品。
【請求項５４】
ワイヤレス通信デバイスによる通信チャネルへのアクセスを制限するためのワイヤレス通信デバイスであって、
アクセス制限データを備えるメッセージを受信するための手段であって、前記アクセス制限データは、ワイヤレス通信デバイスのグループが優先度値に関連付けられることと、ワイヤレス通信デバイスの前記グループが通信チャネルへの制限付きアクセスを有することとを示す、受信するための手段と、
前記アクセス制限データによって与えられた前記指示に基づいて前記通信チャネルへのアクセスを制限するための手段と
を備える、ワイヤレス通信デバイス。
【請求項５５】
前記メッセージの一部分が、アクセス制限データを備える休止オクテット情報要素であり、アクセスを制限することが前記休止オクテット情報要素にさらに基づく、請求項５４に記載のワイヤレス通信デバイス。
【請求項５６】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項５５に記載のワイヤレス通信デバイス。
【請求項５７】
前記ワイヤレス通信デバイスが記憶された優先度値を備え、アクセスを制限することは、前記優先度値が前記記憶された優先度値を備えるときに行われる、請求項５４に記載のワイヤレス通信デバイス。
【発明の詳細な説明】
【技術分野】
【０００１】
関連出願および優先権の主張
本出願は、「APPARATUS AND METHODS FOR RESTRICTING ACCESS TO A COMMUNICATION CHANNEL BY WIRELESS TERMINALS OF A WIRELESS COMMUNICATION SYSTEM」と題する２０１１年４月８日に出願された米国仮特許出願第６１／４７３，６６７号と、「APPARATUS AND METHODS FOR RESTRICTING ACCESS TO A COMMUNICATION CHANNEL BY WIRELESS TERMINALS OF A WIRELESS COMMUNICATION SYSTEM」と題する２０１１年４月８日に出願された米国仮特許出願第６１／４７３，６７４号とに関し、その優先権を主張する。前記出願のすべては、すべての目的のために、それらの全体が以下に完全に記載されるかのように参照により本明細書に組み込まれる。
【０００２】
本開示は、一般に通信システムに関する。より詳細には、本開示は、通信チャネルへのワイヤレス通信デバイスのアクセスを制限することに関する。
【背景技術】
【０００３】
ワイヤレス通信システムは、世界中の多くの人々が通信できるようにするための重要な手段になっている。ワイヤレス通信システムはいくつかの加入者局の通信を可能にし得、各加入者局は基地局によってサービスされ得る。
【０００４】
ワイヤレス通信システムは、一般に、ネットワークと複数のワイヤレス通信デバイスとを含む。ワイヤレス通信デバイスは、ネットワークと通信するために、通信チャネルへのアクセスを必要とする。しかしながら、ワイヤレス通信デバイスの数が増加するにつれて、利用可能なネットワークリソースは減少し得る。したがって、ネットワーク輻輳を低減することと、ワイヤレス通信デバイスによるネットワークへのアクセスを管理することとによって利益が実現され得る。
【発明の概要】
【０００５】
通信チャネルへのアクセスを制限するためのデバイス、システム、製造品および方法について説明する。一実施形態に従って、通信チャネルへのアクセスを制限するための方法について説明する。少なくとも１つのワイヤレス通信デバイスに宛てられる、アクセス制限データをもつメッセージが生成される。アクセス制限データは、ワイヤレス通信デバイスのグループが優先度値に関連付けられることと、ワイヤレス通信デバイスのグループが通信チャネルへの制限付きアクセスを有することとを示す。メッセージは、少なくとも１つのワイヤレス通信デバイスに送信される。
【０００６】
方法はまた、追加の特徴を有し得る。たとえば、方法は、基地局によって実行され得る。アクセス制限データは、パケット処理と回線交換処理との両方に好適であり得る。優先度値は、優先度値のセットを含み得、アクセス制限データを生成することは、優先度値のセットを生成し得る。
【０００７】
メッセージの一部分は、アクセス制限データを含み得る休止オクテット情報要素であり得る。メッセージはまた、指定されたワイヤレス通信デバイスによる指定された通信チャネルへのアクセスが許可され得るかどうかを示し得る。休止オクテット情報要素は、直接割当て拒否メッセージ、直接割当て拡張メッセージ、直接割当てメッセージ、ページング要求タイプ１メッセージ、ページング要求タイプ２メッセージまたはページング要求タイプ３メッセージであり得る。
【０００８】
アクセス制限データは、優先度値に関連するワイヤレス通信デバイスが制限付きアクセスを有する時間間隔を示し得る。時間間隔は、時間間隔のセットのうちの１つの時間間隔を含み得る。アクセス制限データを生成することは、１つの時間間隔を示し得る。１つの時間間隔は、１〜１２０秒の範囲、１〜６０分の範囲、１〜２４時間の範囲または１〜１５日の範囲であり得る時間間隔範囲であり得る。通信チャネルは、ワイヤレス通信システムにおいてワイヤレス通信デバイスによる使用のために利用可能である複数の専用チャネルを含み得る。優先度値が関連付けられたワイヤレス通信デバイスは、時間間隔中に複数の専用チャネルのいずれにもアクセスできないことがある。優先度値は、受信機から取得され得る。
【０００９】
メッセージは、少なくとも１つのワイヤレス通信デバイスに宛てられたページングメッセージであり得る。メッセージを送信することは、ページングチャネル上でページングメッセージを送信することを含み得る。ページングメッセージの一部分は、休止オクテット情報要素を含み得る。
【００１０】
メッセージは、少なくとも１つのワイヤレス通信デバイスに宛てられたアクセスメッセージを含み得る。メッセージを送信することは、アクセスチャネル上でアクセスメッセージを送信することを含み得る。アクセスメッセージの一部分は、休止オクテット情報要素を含み得る。
【００１１】
別の実施形態に従って、ワイヤレス通信デバイスによる通信チャネルへのアクセスを制限するための方法について説明する。アクセス制限データを含むメッセージが受信される。アクセス制限データは、ワイヤレス通信デバイスのグループが優先度値に関連付けられることと、ワイヤレス通信デバイスのグループが通信チャネルへの制限付きアクセスを有することとを示す。通信チャネルへのアクセスは、アクセス制限データによって与えられた指示に基づいて制限される。
【００１２】
メッセージの一部分は、アクセス制限データを含み得る休止オクテット情報要素であり得る。アクセスを制限することはまた、休止オクテット情報要素に基づき得る。休止オクテット情報要素は、直接割当て拒否メッセージ、直接割当て拡張メッセージ、直接割当てメッセージ、ページング要求タイプ１メッセージ、ページング要求タイプ２メッセージまたはページング要求タイプ３メッセージであり得る。
【００１３】
優先度値は、優先度値のセットを含み得る。アクセス制限データを生成することは、優先度値のセットを生成し得る。ワイヤレス通信デバイスは、記憶された優先度値を含み得る。アクセスを制限することは、優先度値が記憶された優先度値を含むときに行われ得る。
【００１４】
通信チャネルは、アップリンク通信チャネルを含み得る。アップリンク通信チャネルを介するアップリンクデータが送信され得る。アップリンクデータは、通信チャネルへのアクセス要求を含み得る。
【００１５】
アクセス制限データは、優先度値に関連するワイヤレス通信デバイスが制限付きアクセスを有する時間間隔を示し得る。アクセスを制限することは、時間間隔内の時間の値にさらに基づき得る。通信チャネルへのアクセス制限は、時間の値が経過したときに取り除かれ得る。時間間隔は、時間間隔のセットのうちの１つの時間間隔を含み得る。アクセス制限データを生成することはまた、１つの時間間隔を示し得る。１つの時間間隔は、１〜１２０秒の範囲、１〜６０分の範囲、１〜２４時間の範囲または１〜１５日の範囲であり得る時間間隔範囲であり得る。通信チャネルは、ワイヤレス通信システムにおいてワイヤレス通信デバイスによる使用のために利用可能である複数の専用チャネルを含み得る。優先度値が関連付けられたワイヤレス通信デバイスは、時間間隔中に複数の専用チャネルのいずれにもアクセスできないことがある。メッセージはまた、指定されたワイヤレス通信デバイスによる指定された通信チャネルへのアクセスが許可され得るかどうかを示し得る。
【００１６】
メッセージは、ページングメッセージであり得、ページングチャネル上で受信され得る。メッセージは、アクセスメッセージであり得、アクセスチャネル上で受信され得る。
【００１７】
さらに別の実施形態に従って、通信チャネルへのアクセスを制限するための装置について説明する。本装置は、プロセッサと、プロセッサと電子通信しているメモリに記憶された実行可能な命令とを含む。本装置は、少なくとも１つのワイヤレス通信デバイスに宛てられる、アクセス制限データを含むメッセージを生成する。アクセス制限データは、ワイヤレス通信デバイスのグループが優先度値に関連付けられることと、ワイヤレス通信デバイスのグループが通信チャネルへの制限付きアクセスを有することとを示す。本装置はまた、少なくとも１つのワイヤレス通信デバイスにメッセージを送信する。
【００１８】
さらに別の実施形態に従って、通信チャネルへのアクセスを制限するためのワイヤレス通信デバイスについて説明する。本ワイヤレス通信デバイスは、プロセッサと、プロセッサと電子通信しているメモリに記憶された実行可能な命令とを含む。本ワイヤレス通信デバイスは、アクセス制限データを含むメッセージを受信する。アクセス制限データは、ワイヤレス通信デバイスのグループが優先度値に関連付けられることと、ワイヤレス通信デバイスのグループが通信チャネルへの制限付きアクセスを有することとを示す。ワイヤレス通信デバイスはまた、アクセス制限データによって与えられた指示に基づいて通信チャネルへのアクセスを制限する。
【００１９】
別の実施形態に従って、通信チャネルへのアクセスを制限するためのコンピュータプログラム製品について説明する。本コンピュータプログラム製品は、命令をその上にもつ非一時的コンピュータ可読媒体を含む。本コンピュータプログラム製品は、少なくとも１つのワイヤレス通信デバイスに宛てられる、アクセス制限データを含むメッセージを生成するための命令を含む。アクセス制限データは、ワイヤレス通信デバイスのグループが優先度値に関連付けられることと、ワイヤレス通信デバイスのグループが通信チャネルへの制限付きアクセスを有することとを示す。本コンピュータプログラム製品はまた、少なくとも１つのワイヤレス通信デバイスにメッセージを送信するための命令を含む。
【００２０】
さらに別の実施形態に従って、ワイヤレス通信デバイス上での通信チャネルへのアクセスを制限するためのコンピュータプログラム製品について説明する。本コンピュータプログラム製品は、命令をその上に有する非一時的コンピュータ可読媒体を含む。本コンピュータプログラム製品は、アクセス制限データを含むメッセージを受信するための命令を含む。アクセス制限データは、ワイヤレス通信デバイスのグループが優先度値に関連付けられることと、ワイヤレス通信デバイスのグループが通信チャネルへの制限付きアクセスを有することとを示す。本コンピュータプログラム製品はまた、アクセス制限データによって与えられた指示に基づいて通信チャネルへのアクセスを制限するための命令を含む。
【００２１】
さらに別の実施形態に従って、通信チャネルへのアクセスを制限するための装置について説明する。本装置は、少なくとも１つのワイヤレス通信デバイスに宛てられる、アクセス制限データを含むメッセージを生成するための手段を含む。アクセス制限データは、ワイヤレス通信デバイスのグループが優先度値に関連付けられることと、ワイヤレス通信デバイスのグループが通信チャネルへの制限付きアクセスを有することとを示す。本装置はまた、少なくとも１つのワイヤレス通信デバイスにメッセージを送信するための手段を含む。
【００２２】
さらにまた別の実施形態に従って、通信チャネルへのアクセスを制限するためのワイヤレス通信デバイスについて説明する。本ワイヤレス通信デバイスは、アクセス制限データを含むメッセージを受信するための手段を含む。アクセス制限データは、ワイヤレス通信デバイスのグループが優先度値に関連付けられることと、ワイヤレス通信デバイスのグループが通信チャネルへの制限付きアクセスを有することとを示す。本ワイヤレス通信デバイスはまた、アクセス制限データによって与えられた指示に基づいて通信チャネルへのアクセスを制限するための手段を含む。
【００２３】
本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００２４】
【図１】本明細書で開示する本発明の実施形態が利用され得るワイヤレス通信システムの一例を示す図。
【図２】本発明のいくつかの実施形態による、ワイヤレス通信システム中の送信機および受信機のブロック図。
【図３】本発明のいくつかの実施形態による、受信機における受信機ユニットと復調器との設計のブロック図。
【図４】本発明のいくつかの実施形態による、ＧＳＭ（登録商標）における例示的なフレームおよびバーストフォーマットを示す図。
【図５】本発明のいくつかの実施形態による、ＧＳＭシステムにおける例示的なスペクトルを示す図。
【図６】本発明のいくつかの実施形態による、（電力増幅器を含む）送信回路と、受信回路と、電力コントローラと、復号プロセッサと、信号を処理する際に使用する処理ユニットと、メモリとを含むワイヤレスデバイスの一例を示す図。
【図７】本発明のいくつかの実施形態による、送信機構造および／またはプロセスの一例を示す図。
【図８】本明細書で開示する本発明の実施形態が利用され得る基地局の一構成を示すブロック図。
【図９】本発明のいくつかの実施形態による、アクセス制限データとともにメッセージを送信するための方法の流れ図。
【図１０】本発明のいくつかの実施形態による、アクセス制限データとともにメッセージを送信するための別の方法の流れ図。
【図１１】本明細書で開示する本発明の実施形態が利用され得るワイヤレス通信デバイスの一構成を示すブロック図。
【図１２】本発明のいくつかの実施形態による、ワイヤレス通信デバイスのより詳細な構成を示すブロック図。
【図１３】本発明のいくつかの実施形態による、アクセス制限データとともにメッセージを受信するための方法の流れ図。
【図１４】本発明のいくつかの実施形態による、アクセス制限データとともにメッセージを受信するための別の方法の流れ図。
【図１５】本発明のいくつかの実施形態による、基地局内に含まれ得るいくつかの構成要素を示す図。
【図１６】本発明のいくつかの実施形態による、ワイヤレス通信デバイス内に含まれ得るいくつかの構成要素を示す図。
【発明を実施するための形態】
【００２５】
より多くの人々が、ボイス通信のためだけでなくデータ通信のためにも、モバイルフォンなどのワイヤレス通信デバイスを使用している。スマートフォンおよびモバイルコンピュータの帯域幅要件の増加と、ネットワークへのアクセスを求めるデバイスおよびプログラムの数の増加との両方のために、電気通信ネットワークはより多くの負担を受けている。たとえば、スマートフォン上で実行される多くのアプリケーションは、更新について検査するためにネットワークに周期的にアクセスする。
【００２６】
各アクセス自体は、比較的少量の帯域幅しか消費しないことがあるが、多くのアプリケーションを実行する多数のデバイスは、ネットワーク、ならびに特にシグナリングチャネルおよび制御チャネルに対してかなりの負担をかけることがある。マシンタイプ通信（ＭＴＣ：machine type communication）デバイス（たとえば、マシンツーマシン（Ｍ２Ｍ：machine-to-machine））のさらなる普及も同様に、ネットワークリソースに対する需要を増大させ得る。
【００２７】
ネットワークリソースを必要とするワイヤレス通信デバイス（たとえば、ワイヤレス端末）は、通信チャネル、たとえば、トラフィックチャネルへのアクセスの要求をワイヤレス送信し得る。トラフィックチャネルは、専用チャネルとしても知られ、ネットワークとワイヤレス通信デバイスとの間で専用データを搬送するために使用される。ブロードキャストチャネルを介してネットワークによって送信され、複数のワイヤレス通信デバイスにダイレクトされるブロードキャストデータと比較して、専用データは特定のワイヤレス通信デバイスにまたは特定のワイヤレス通信デバイスからダイレクトされる。
【００２８】
ワイヤレス通信デバイスは、チャネル要求メッセージの形態でチャネルへのアクセスの要求を送信する。チャネル要求メッセージは、チャネルへのアクセスを要求するために、アクセスチャネルを介して（ワイヤレス通信デバイスからネットワーク装置、たとえば、基地局に）アップリンク上で送信され得る。ワイヤレス通信デバイスは、指定された数の要求を送信するか、またはネットワークから応答を受信するまで、チャネル要求を周期的に送り続け得る。
【００２９】
ネットワークは、（ネットワーク装置からワイヤレス通信デバイスへの）ダウンリンク上で（一般に割当て拒否メッセージと呼ばれる）割当てメッセージまたは拒否メッセージのいずれかを含むアクセスメッセージを送信することによってチャネル要求に応答し得る。
【００３０】
ネットワークは、ワイヤレス通信デバイスによるチャネルへのアクセスを許可するか、または拒否するためのアクセスメッセージをアクセスチャネルを介して送信する。割当てメッセージは、アクセスを要求したワイヤレス通信デバイスにチャネルが割り当てられたこと、すなわち、ワイヤレス通信デバイスがチャネルへのアクセスが許可されたことを示す。拒否メッセージは、アクセスを要求したワイヤレス通信デバイスにチャネルが割り当てられなかったことを示す。拒否メッセージは、ネットワークが要求されたチャネルを割り振るのに十分なリソースを有しないとき、たとえば、すべての好適なチャネルが使用中であるとき、送信される。拒否メッセージを受信するワイヤレス通信デバイスは、アクセス要求を送ることを中止することになる。
【００３１】
典型的なネットワークは、所与の時間期間中に、アクセスを許可するか、または拒否するためにアクセスチャネル上でメッセージを送信し得るよりはるかに多いチャネル要求を受信し得る。これは、部分的に、各セルが、多くのワイヤレス通信デバイスを有するが、所与の時間期間中に限られた数のメッセージしか送信することができないただ１つの基地局しか有しないからである。また、各アクセス拒否メッセージは、限られた数のワイヤレス通信デバイスしか拒否できない。たとえば、単一の拒否メッセージは、最高４つのワイヤレス通信デバイスしか拒否できないことがある。
【００３２】
１つのセルまたはセクタ中に存在するワイヤレス通信デバイスの数が増加しているので、ネットワークは、そのようなアクセスを要求するワイヤレス通信デバイスの小部分にしかアクセスを許可することができない。チャネル要求を送り、指定された期間内にネットワークからいかなる応答も受信しなかったワイヤレス通信デバイスは、１つまたは複数のさらなるチャネルアクセス要求を送ることになる。ワイヤレス通信デバイスは、チャネル要求の最大数まで送信し得る。最大数は、ネットワークによって送信されるブロードキャスト情報を介してネットワークによって定義され得る。たとえば、システムコントローラは、どのワイヤレス通信デバイスがネットワークにアクセスし得るかを指定するブロードキャスト情報を送り得る。輻輳トラフィック状態中に、ワイヤレス通信デバイスは、ネットワークからアクセスメッセージを受信する前に、いくつかのチャネル要求を送信し得る。これらの輻輳状態の下で、ワイヤレス通信デバイスは、アップリンクアクセスチャネルを非生産的に使用することと、ネットワークが受信する、ネットワークが応答することができない要求の数を増加させることとによって、リソースを効果的に無駄にしている。
【００３３】
ワイヤレス通信デバイスが、チャネル要求の最大数を送信し、最後のチャネル要求に続く指定された期間内に割当てメッセージを受信しないと、ワイヤレス通信デバイスは、アクセスチャネル障害が発生したと判断することになり、セル再選択をトリガすることになる。セル再選択は、ワイヤレス通信デバイスが、有用なデータを送信または受信できるようになる前に登録更新を実行することを必要とし得る。登録更新は、かなりのシステムリソースを使用し得、時間がかかり得る。したがって、頻繁なセル再選択は、システムパフォーマンスの低下につながり得る。
【００３４】
１つの可能な解決法は、任意の所与のワイヤレス通信デバイスからの隣接チャネル要求間の遅延を大きくすることであろうが、これは問題を長引かせるだけである。遅延が長すぎると、ワイヤレス通信デバイスは、前に生成したデータ（たとえば、前の報告）が送られるのをまだ待っている間に、送られるべき新しいデータ（たとえば、新しい報告）を生成することになる。代替解決策は、複数のアクセスチャネルを有することであろうが、これはより多くのネットワークリソースを必要とし、したがって、いくつかの事例では望ましくないことがある。
【００３５】
別の解決策は、ワイヤレス通信デバイスの１つまたは複数のクラスがアクセスを行うのを防げるアクセスクラス禁止を使用することであろう。アクセスクラス禁止は、３ＧＰＰ  ＴＳ  ２２．０１１バージョン１０．２．１（セクション４「Access Control」、特に、セクション４．３．１）に記載されている。アクセスクラス禁止は、未完成の手段であり、効果を生じるまで時間がかかるので、めったに使用されない。アクセスクラス禁止は、あまり頻繁に送られないブロードキャスト情報を変更することを伴い、したがって、ワイヤレス通信デバイスが情報を更新するまでに時間がかかる。すべてのワイヤレス通信デバイスが、アイドルモードから起動し、ブロードキャストチャネル上でブロードキャストされるシステム情報を読み取る必要があるので、アクセスクラス禁止はまたバッテリー寿命に影響を及ぼす。さらに、ワイヤレス通信システムは、しばしば、アクセスクラス禁止が開発される前に製造された「レガシー」ワイヤレス通信デバイスを含む。したがって、この解決策はこれらのレガシーワイヤレス通信デバイスを除外することになる。
【００３６】
別の解決策は、ワイヤレス通信デバイスがアクセス要求を行った後にネットワークがそれを拒否し、ある時間期間の間ワイヤレス通信デバイスに別のアクセス要求を行わないようにネットワークが命令することであり得る。このようにして、ネットワークは、アクセス許可チャネル（ＡＧＣＨ：access grant channel）を介して単一のメッセージを送信することによって、１つ、２つ、３つ、または４つのワイヤレス通信デバイスを拒否し得る。この拒否機構は、３ＧＰＰ  ＴＳ  ４４．０１８バージョン９．６．０（セクション９．１．２０）に記載されている。その機構はリアルタイムで動作するが、一度に最高４つのワイヤレス通信デバイスしか対処できない。５つ以上のワイヤレス通信デバイスを拒否するにはＡＧＣＨ上で２つ以上のメッセージを送信することが必要となり、これは、ＡＧＣＨの負荷が容認できないほど増大することにつながり得る。
【００３７】
２０１１年２月２８日〜３月４日に中国の成都で開催された技術会議３ＧＰＰ  ＧＥＲＡＮ＃４９において提示された「44.018 CR 0882, Implicit Immediate Assignment Reject」と題する文書ＧＰ−１１０２７６で、５つ以上のワイヤレス通信デバイスを暗黙的に拒否するための機構が提案された。これは、いくつかの理由で理想的な解決策ではない。第１に、ネットワークは、ワイヤレス通信デバイスを拒否すること以外の他の目的を対象とする情報要素を送信する。第２に、ワイヤレス通信デバイスは、送信された情報要素に応答するために、汎用パケット無線サービス（ＧＰＲＳ：General Packet Radio Service）のいくつかの態様を理解する必要がある。多くのワイヤレス通信デバイス（特に、極めて低コストのワイヤレス通信デバイス）は、汎用パケット無線サービス（ＧＰＲＳ）をサポートせず、したがって、応答することができない。最後に、提案された機構は、ワイヤレス通信デバイスがチャネル要求を行うプロセスにあることを必要とする。
【００３８】
本発明の実施形態は、効率的なネットワークアクセスを可能にする解決策を与えるために提供され、ネットワーク輻輳問題に対処することを目的とした様々な特徴を含む。たとえば、本発明の実施形態のいくつかのシステムおよび方法の一構成は、通信チャネルへのアクセスを制限することができるワイヤレス通信システムのネットワークを対象とする。これは、アクセス制限データ（たとえば、アクセスメッセージまたは信号）を送信することによって行われ得る。制限は、回線交換データを使用して動作するワイヤレス通信デバイスとパケットデータを使用して動作するワイヤレス通信デバイスの両方のためのものであり得る。言い換えれば、アクセス制限データは、回線交換処理とパケット処理の両方に好適である。これにより、回線交換データのみを処理し得るワイヤレス通信デバイスがアクセス制限データを処理することが可能になる。たとえば、アクセス制限データは、休止オクテット情報要素内に含まれ得る。これにより、何らかの他の特定の目的を対象とする情報要素を使用する場合と比較して、アクセス制限データのフォーマッティングをフレキシブルなものにすることが可能になる。
【００３９】
ページングチャネルおよび／またはアクセスチャネルを介してアクセス制限データを送信することによって、任意の数のワイヤレス通信デバイスがアクセスを要求するプロセスをまだ開始していない場合でも、それらのワイヤレス通信デバイスによるアクセスが制限され得る。これにより、ネットワークトラフィックが輻輳したときに失敗するアクセス試行の数が大幅に低減され得る。たとえば、ワイヤレス通信デバイスがアイドルモードにある間に、ワイヤレス通信デバイスは、ページングチャネルを介してアクセス制限データを受信し得る。したがって、ワイヤレス通信デバイスは、アイドルモードのままであることになり、たとえば、規定の期間の間ネットワークにアクセスしようと試みないことになる。ワイヤレス通信デバイスは、他のチャネルを介して信号を送信または受信するためにエネルギーを使用する必要がないので、これにより、ワイヤレス通信デバイスがアイドルモードにあるとき、ワイヤレス通信デバイスの電力消費量が低減される。
【００４０】
別の利点は、ネットワークがワイヤレス通信デバイスにアクセスメッセージを送信するアクセスチャネルの輻輳が低減されることである。これは、ワイヤレス通信デバイスが送信するチャネル要求に対するネットワークからの応答を、より多くのワイヤレス通信デバイスがタイムリーに受信するようになることを意味する。
【００４１】
ページングおよび／またはアクセスメッセージは、任意の数のワイヤレス通信デバイスに宛てられ、それによって、ワイヤレス通信デバイスによる失敗するアクセス試行の数がさらに低減され、アクセスを要求するために使用されるチャネルの不要な使用が回避され得る。ページングおよび／またはアクセスメッセージは、短時間で送信され得る。たとえば、いくつかの実施形態では、時間期間は、１０ミリ秒（ｍｓ）、２０ｍｓ、４０ｍｓ、６０ｍｓなどであり得る。
【００４２】
アクセス制限データによって効果的に対処されるワイヤレス通信デバイスの数は、たとえば、選択的ページング、ページンググループまたはページングオケージョンを使用することによって制御され得る。
【００４３】
選択的アドレス指定により、ネットワーク容量が変動する期間にわたって最適な数のワイヤレス通信デバイスにアクセスを与えることが可能になる。特定のページンググループをリッスンするワイヤレス通信デバイスは、ネットワークにアクセスするのを防げられ得る。ネットワークは、１つのページンググループ、２つのページンググループ、３つのページンググループなどでアクセス制限データを送り得る。これにより、ワイヤレス通信デバイスの異なるグループが異なる時間にネットワークにアクセスすることを制限することが可能になる。また、これによって、異なる数のデバイスが異なる時間にアクセスを行うことが防げられる。
【００４４】
次に図面を参照すると、図１に、本明細書で開示する本発明の実施形態が利用され得るワイヤレス通信システム１００の一例を示す。ワイヤレス通信システム１００は、複数の基地局１０２と複数のワイヤレス通信デバイス１０４とを含む。各基地局１０２は、特定の地理的エリア１０６に通信カバレージを与える。「セル」という用語は、この用語が使用されるコンテキストに応じて基地局１０２および／またはそれのカバレージエリア１０６を指すことができる。
【００４５】
本出願で利用される「ワイヤレス通信デバイス」という用語と「基地局」という用語とは、概して、構成要素のアレイを指すことができる。たとえば、本明細書で使用する「ワイヤレス通信デバイス」という用語は、ワイヤレス通信システムを介したボイスおよび／またはデータ通信のために使用され得る電子デバイスを指す。ワイヤレス通信デバイス１０４の例には、セルラーフォン、携帯情報端末（ＰＤＡ）、ハンドヘルドデバイス、ワイヤレスモデム、ラップトップコンピュータおよびパーソナルコンピュータがある。ワイヤレス通信デバイス１０４は、代替的に、アクセス端末、モバイル端末、移動局、リモート局、ユーザ端末、端末、加入者ユニット、加入者局、モバイルデバイス、ワイヤレスデバイス、ユーザ機器（ＵＥ）または何らかの他の同様の用語で呼ばれることがある。また、「基地局」という用語は、固定ロケーションに設置され、ワイヤレス通信デバイス１０４と通信するために使用されるワイヤレス通信局を指すことができる。基地局１０２は、代替的に、（ナノセルと、ピコセルと、フェムトセルとを含む）アクセスポイント、ノードＢ、発展型ノードＢ、ホームノードＢまたは何らかの他の同様の用語で呼ばれることがある。
【００４６】
システム容量を高めるために、基地局カバレージエリア１０６は、複数のより小さいエリア、たとえば、３つのより小さいエリア１０８ａ、１０８ｂ、および１０８ｃに区分され得る。各より小さいエリア１０８ａ、１０８ｂ、１０８ｃは、それぞれの送受信基地局（ＢＴＳ：base transceiver station）によってサービスされ得る。「セクタ」という用語は、この用語が使用されるコンテキストに応じてＢＴＳおよび／またはそれのカバレージエリア１０８を指すことができる。セクタ化されたセルの場合、そのセルのすべてのセクタのＢＴＳは、一般に、そのセルの基地局１０２内に共設される。
【００４７】
ワイヤレス通信デバイス１０４は、一般に、ワイヤレス通信システム１００全体にわたって分散される。ワイヤレス通信デバイス１０４は、所与の瞬間において、ダウンリンクおよび／またはアップリンク上で１つまたは複数の基地局１０２と通信し得る。ダウンリンク（または順方向リンク）は、基地局１０２からワイヤレス通信デバイス１０４への通信リンクを指し、アップリンク（または逆方向リンク）は、ワイヤレス通信デバイス１０４から基地局１０２への通信リンクを指す。アップリンクおよびダウンリンクは、通信リンクを指すことがあり、または通信リンクのために使用されるキャリアを指すことがある。
【００４８】
集中型アーキテクチャの場合、システムコントローラ１１０は、基地局１０２に結合され、基地局１０２の調整および制御を行い得る。システムコントローラ１１０は、単一のネットワークエンティティまたはネットワークエンティティの集合であり得る。別の例として、分散型アーキテクチャの場合、基地局１０２は、必要に応じて互いに通信し得る。
【００４９】
図２に、本発明のいくつかの実施形態による、ワイヤレス通信システム１００中の送信機２１１および受信機２１３のブロック図を示す。ダウンリンクでは、送信機２１１は基地局１０２の一部であり得、受信機２１３はワイヤレス通信デバイス１０４の一部であり得る。アップリンクでは、送信機２１１はワイヤレス通信デバイス１０４の一部であり得、受信機２１３は基地局１０２の一部であり得る。
【００５０】
送信機２１１において、送信（ＴＸ）データプロセッサ２３４は、データ２０１を受信し、処理（たとえば、フォーマット、符号化、およびインターリーブ）し、コード化データを与える。変調器２１２は、コード化データの変調を実行し、被変調信号を与える。変調器２１２は、ＧＳＭではガウス型最小シフトキーイング（ＧＭＳＫ：Gaussian minimum shift keying）を実行し、Ｅｎｈａｎｃｅｄ  Ｄａｔａ  ｒａｔｅｓ  ｆｏｒ  Ｇｌｏｂａｌ  Ｅｖｏｌｕｔｉｏｎ（ＥＤＧＥ）では８位相シフトキーイング（８ＰＳＫ：8-ary phase shift keying）を実行し得る。ＧＭＳＫは連続位相変調プロトコルであり、一方、８ＰＳＫはデジタル変調プロトコルである。送信機ユニット（ＴＭＴＲ）２１８は、被変調信号を調整（たとえば、フィルタ処理、増幅、およびアップコンバート）し、ＲＦ被変調信号を生成し、そのＲＦ被変調信号はアンテナ２２０を介して送信される。
【００５１】
受信機２１３において、アンテナ２２２は、送信機２１１および他の送信機からＲＦ被変調信号を受信する。アンテナ２２２は、受信機ユニット（ＲＣＶＲ）２２４に受信したＲＦ信号を与える。受信機ユニット２２４は、受信したＲＦ信号を調整（たとえば、フィルタ処理、増幅、およびダウンコンバート）し、その調整された信号をデジタル化し、サンプルを与える。復調器２２６は、以下で説明するようにサンプルを処理し、復調データを与える。受信（ＲＸ）データプロセッサ２２８は、復調データを処理（たとえば、デインターリーブおよび復号）し、復号データ２３２を与える。概して、復調器２２６およびＲＸデータプロセッサ２２８による処理は、送信機２１１におけるそれぞれ変調器２１２およびＴＸデータプロセッサ２３４による処理を補足するものである。
【００５２】
コントローラ／プロセッサ２１４および２３０はそれぞれ、送信機２１１および受信機２１３における動作を指示する。メモリ２１６および２３６は、それぞれ送信機２１１および受信機２１３によって使用される、コンピュータソフトウェアの形態のプログラムコードとデータとを記憶する。
【００５３】
図３に、本発明のいくつかの実施形態による、受信機２１３における受信機ユニット３２４と復調器３２６との設計のブロック図を示す。受信機ユニット３２４内では、受信チェーン３２５が、受信ＲＦ信号を処理し、ＩbbおよびＱbbとして示されるＩ（同相：inphase）ベースバンド信号とＱ（直角位相：quadrature）ベースバンド信号とを与える。受信チェーン３２５は、希望または必要に応じて、低雑音増幅、アナログフィルタ処理、直角位相ダウンコンバージョンなどを実行し得る。アナログデジタル変換器（ＡＤＣ）３２７は、Ｉベースバンド信号およびＱベースバンド信号を、サンプリングクロック３２３からのｆadcというサンプリングレートでデジタル化し、ＩadcおよびＱadcとして示されるＩサンプルおよびＱサンプルを与える。概して、ＡＤＣサンプリングレートｆadcは、任意の整数倍または非整数倍でシンボルレートｆsysに関係し得る。
【００５４】
復調器３２６内では、プリプロセッサ３２９が、アナログデジタル変換器（ＡＤＣ）３２７からのＩサンプルおよびＱサンプルに対して前処理を実行する。たとえば、プリプロセッサ３２９は、直流電流（ＤＣ）オフセットを除去すること、周波数オフセットを除去することなどを行い得る。入力フィルタ３３１は、特定の周波数応答に基づいてプリプロセッサ３２９からのサンプルをフィルタ処理し、ＩinおよびＱinとして示される入力Ｉサンプルおよび入力Ｑサンプルを与える。入力フィルタ３３１は、ＩサンプルおよびＱサンプルをフィルタ処理して、アナログデジタル変換器（ＡＤＣ）３２７によるサンプリングから生じた画像ならびにジャマーを抑制し得る。入力フィルタ３３１はまた、たとえば、２４倍オーバーサンプリングから２倍オーバーサンプリングまでサンプルレート変換を実行し得る。データフィルタ３３３は、別の周波数応答に基づいて入力フィルタ３３１からの入力Ｉサンプルおよび入力Ｑサンプルをフィルタ処理し、ＩoutおよびＱoutとして示される出力Ｉサンプルおよび出力Ｑサンプルを与える。入力フィルタ３３１およびデータフィルタ３３３は、有限インパルス応答（ＦＩＲ：finite impulse response）フィルタ、無限インパルス応答（ＩＩＲ：infinite impulse response）フィルタまたは他のタイプのフィルタを用いて実装され得る。入力フィルタ３３１およびデータフィルタ３３３の周波数応答は、良好なパフォーマンスを達成するように選択され得る。１つの設計では、入力フィルタ３３１の周波数応答は固定であり、データフィルタ３３３の周波数応答は設定可能である。
【００５５】
隣接チャネル干渉（ＡＣＩ：adjacent-channel-interference）検出器３３７は、入力フィルタ３３１からの入力Ｉサンプルおよび入力Ｑサンプルを受信し、受信したＲＦ信号中の隣接チャネル干渉（ＡＣＩ）を検出し、隣接チャネル干渉（ＡＣＩ）インジケータ３３９をデータフィルタ３３３に与える。隣接チャネル干渉（ＡＣＩ）インジケータ３３９は、隣接チャネル干渉（ＡＣＩ）が存在するか否かを示し、存在する場合は、隣接チャネル干渉（ＡＣＩ）が、＋２００キロヘルツ（ｋＨｚ）を中心とするより高いＲＦチャネルに起因するか、および／または−２００ｋＨｚを中心とするより低いＲＦチャネルに起因するかを示し得る。データフィルタ３３３の周波数応答は、望ましいパフォーマンスを達成するために、隣接チャネル干渉（ＡＣＩ）インジケータ３３９に基づいて調整され得る。
【００５６】
等化器／検出器３３５は、データフィルタ３３３からの出力Ｉサンプルおよび出力Ｑサンプルを受信し、これらのサンプルに対して等化、マッチドフィルタ処理、検出、および／または他の処理を実行する。たとえば、等化器／検出器３３５は、ＩサンプルおよびＱサンプルのシーケンスならびにチャネル推定値が与えられれば、送信された可能性が最も高いシンボルのシーケンスを判断する最尤シーケンス推定器（ＭＬＳＥ：maximum likelihood sequence estimator）を実装し得る。
【００５７】
Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）は、セルラーワイヤレス通信の普及した規格である。ＧＳＭは、標準的なボイスサービスに対して比較的効率的である。ただし、ハイフィデリティオーディオおよびデータサービスは、ＧＳＭが最適化されているデータスループットレートよりも高いデータスループットレートを必要とする。容量を増加させるために、Ｇｅｎｅｒａｌ  Ｐａｃｋｅｔ  Ｒａｄｉｏ  Ｓｅｒｖｉｃｅ（ＧＰＲＳ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）およびＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）規格がＧＳＭシステムに採用されている。ＧＳＭ／ＥＤＧＥ無線アクセスネットワーク（ＧＥＲＡＮ：GSM/EDGE Radio Access Network）仕様では、ＧＰＲＳおよびＥＧＰＲＳがデータサービスを提供する。ＧＥＲＡＮの規格は３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によって維持されている。ＧＥＲＡＮはＧＳＭの一部である。より詳細には、ＧＥＲＡＮは、ＧＳＭ／ＥＤＧＥの無線部分を、基地局１０２（ＡｔｅｒおよびＡｂｉｓインターフェース）と基地局コントローラ（Ａインターフェースなど）とを結合するネットワークと一緒にしたものである。ＧＥＲＡＮはＧＳＭネットワークのコアを表す。ＧＥＲＡＮは、ＰＳＴＮ（公衆交換電話網）およびインターネットとリモート端末との間で電話呼およびパケットデータをルーティングする。ＧＥＲＡＮはまた、複合ＵＭＴＳ／ＧＳＭネットワークの一部である。
【００５８】
ＧＳＭは、スペクトルリソースを共有する目的で、時分割多元接続（ＴＤＭＡ）と周波数分割多元接続（ＦＤＭＡ）との組合せを採用する。ＧＳＭネットワークは、一般に、いくつかの周波数帯域中で動作する。たとえば、アップリンク通信では、ＧＳＭ−９００は、通常、８９０〜９１５メガヘルツ（ＭＨｚ）帯域中の無線スペクトルを使用する（移動局から無線基地局装置）。ダウンリンク通信では、ＧＳＭ９００は９３５〜９６０ＭＨｚ帯域を使用する（基地局１０２からワイヤレス通信デバイス１０４）。さらに、各周波数帯域は２００ｋＨｚのキャリア周波数に分割され、２００ｋＨｚで離間された１２４個のＲＦチャネルが与えられる。ＧＳＭ−１９００は、アップリンクでは１８５０〜１９１０ＭＨｚ帯域を使用し、ダウンリンクでは１９３０〜１９９０ＭＨｚ帯域を使用する。ＧＳＭ９００と同様に、ＦＤＭＡは、アップリンクとダウンリンクの両方のスペクトルを２００ｋＨｚ幅のキャリア周波数に分割する。同様に、ＧＳＭ−８５０は、アップリンクでは８２４〜８４９ＭＨｚ帯域を使用し、ダウンリンクでは８６９〜８９４ＭＨｚ帯域を使用し、ＧＳＭ−１８００は、アップリンクでは１７１０〜１７８５ＭＨｚ帯域を使用し、ダウンリンクでは１８０５〜１８８０ＭＨｚ帯域を使用する。
【００５９】
既存のＧＳＭシステムの一例が、３ｒｄ  Ｇｅｎｅｒａｔｉｏｎ  Ｐａｒｔｎｅｒｓｈｉｐ  Ｐｒｏｊｅｃｔ（３ＧＰＰ）規格設定団体によって公開された、「Technical Specification 3rd Generation Partnership Project; Technical Specification Group GSM/EDGE Radio Access Network; Multiplexing and multiple access on the radio path (Release 4)」と題する技術仕様書３ＧＰＰ  ＴＳ  ４５．００２  Ｖ４．８．０（２００３−０６）に記載されている。
【００６０】
ＧＳＭにおける各チャネルは、特定の絶対無線周波数チャネル（ＡＲＦＣＮ：absolute radio frequency channel）によって識別される。たとえば、ＡＲＦＣＮ１〜１２４はＧＳＭ９００のチャネルに割り当てられ、一方、ＡＲＦＣＮ５１２〜８１０はＧＳＭ１９００のチャネルに割り当てられる。同様に、ＡＲＦＣＮ１２８〜２５１はＧＳＭ８５０のチャネルに割り当てられ、一方、ＡＲＦＣＮ５１２〜８８５はＧＳＭ１８００のチャネルに割り当てられる。また、各基地局１０２には、１つまたは複数のキャリア周波数が割り当てられる。各キャリア周波数は、８つの連続するタイムスロットが、４．６１５ミリ秒（ｍｓ）の持続期間をもつ１つのＴＤＭＡフレームを形成するように、ＴＤＭＡを使用して（タイムスロット０〜７とラベルをつけられた）８つのタイムスロットに分割される。物理チャネルは、ＴＤＭＡフレーム内の１つのタイムスロットを占有する。各アクティブワイヤレスデバイス１０４またはユーザには、呼の持続時間の間、１つまたは複数のタイムスロットインデックスが割り当てられる。各ワイヤレス通信デバイス１０４のユーザ固有のデータは、そのワイヤレス通信デバイス１０４に割り当てられた（１つまたは複数の）タイムスロット中で送られ、またトラフィックチャネルのために使用されるＴＤＭＡフレーム中で送られる。
【００６１】
図４に、ＧＳＭにおける例示的なフレームおよびバーストフォーマットを示す。送信のためのタイムラインは、本発明のいくつかの実施形態によれば、マルチフレーム４６３に分割される。ユーザ固有のデータを送るために使用されるトラフィックチャネルの場合、この例における各マルチフレーム４６３は、ＴＤＭＡフレーム０〜２５と標示された２６個のＴＤＭＡフレーム４６４を含む。トラフィックチャネルは、各マルチフレーム４６３のＴＤＭＡフレーム０〜１１およびＴＤＭＡフレーム１３〜２４中で送られる。制御チャネルはＴＤＭＡフレーム１２中で送られる。データはアイドルＴＤＭＡフレーム２５中では送られず、アイドルＴＤＭＡフレーム２５は、近隣基地局１０２によって送信される信号の測定を行うために、ワイヤレス通信デバイス１０４によって使用される。
【００６２】
フレーム内の各タイムスロットは、ＧＳＭでは「バースト」４６５とも呼ばれる。各バースト４６５は、２つのテールフィールドと、２つのデータフィールドと、トレーニングシーケンス（またはミッドアンブル）フィールドと、ガード期間（ＧＰ：guard period）とを含む。各フィールド中のシンボル数が丸括弧内に示されている。バースト４６５は、テールフィールドと、データフィールドと、ミッドアンブルフィールドとのためのシンボルを含む。シンボルはガード期間中には送られない。特定のキャリア周波数のＴＤＭＡフレームは、番号付けされ、マルチフレーム４６３と呼ばれる２６個または５１個のＴＤＭＡフレーム４６４のグループに形成される。
【００６３】
図５に、本発明のいくつかの実施形態による、ＧＳＭシステムにおける例示的なスペクトル５００を示す。この例では、２００ｋＨｚだけ離れて離間した５つのＲＦチャネル上で５つのＲＦ被変調信号が送信される。０Ｈｚの中心周波数をもつ、注目するＲＦチャネルが示されている。その２つの隣接ＲＦチャネルは、所望のＲＦチャネルの中心周波数から＋２００ｋＨｚおよび−２００ｋＨｚにある中心周波数を有する。（ブロッカーまたは非隣接ＲＦチャネルと呼ばれる）次の２つの最も近いＲＦチャネルは、所望のＲＦチャネルの中心周波数から＋４００ｋＨｚおよび−４００ｋＨｚにある中心周波数を有する。簡単のために図５には示されていない他のＲＦチャネルが、スペクトル５００中に存在し得る。ＧＳＭでは、ＲＦ被変調信号は、ｆsym＝１３０００／４０＝２７０．８シンボル／秒（ｋｓｐｓ）のシンボルレートで生成され、最高１３５ｋＨｚの−３デシベル（ｄＢ）帯域幅を有する。したがって、図５に示すように、隣接ＲＦチャネル上のＲＦ被変調信号はエッジにおいて互いに重複し得る。
【００６４】
ＧＳＭ／ＥＤＧＥでは、ワイヤレス通信デバイス１０４が、周波数オフセット推定および補正を使用してワイヤレス通信デバイス１０４の局部発振器（ＬＯ：local oscillator）を基地局１０２の局部発振器（ＬＯ）に同期させることを可能にするために、基地局１０２によって周波数バースト（ＦＢ：frequency burst）が定期的に送られる。これらのバーストは、全「０」ペイロードおよびトレーニングシーケンスに対応するシングルトーンを含む。周波数バーストの全ゼロペイロードは、一定周波数信号、またはシングルトーンバーストである。電力モードにあるとき、ワイヤレス通信デバイス１０４は、キャリアのリストから周波数バーストを連続的に捜索する。周波数バーストを検出すると、ワイヤレス通信デバイス１０４は、キャリアから６７．７ｋＨｚにある、それの公称周波数に対する周波数オフセットを推定する。ワイヤレス通信デバイス１０４のローカル発振器（ＬＯ）は、この推定された周波数オフセットを使用して補正される。電源投入モードでは、周波数オフセットは＋／−１９ｋＨｚ程度であり得る。ワイヤレス通信デバイス１０４は、待機モードにおいてそれの同期を維持するために、周期的に起動して周波数バーストを監視し得る。待機モードでは、周波数オフセットは±２ｋＨｚ内である。
【００６５】
ＧＥＲＡＮシステムでは、ボイス、データ、および／または制御情報などの情報を通信するために１つまたは複数の変調方式が使用される。変調方式の例としては、ガウス型最小シフトキーイング（ＧＭＳＫ）、多値直交振幅変調（ＱＡＭ：Quadrature Amplitude Modulation）または多値ＰＳＫ（位相シフトキーイング：Phase Shift Keying）があり得、Ｍ＝２nであり、ｎは、指定された変調方式のシンボル期間内で符号化されるビット数である。ＧＭＳＫは、２７０．８３キロビット毎秒（Ｋｂｐｓ）の最大レートでの未加工伝送を可能にする定エンベロープバイナリ変調方式である。
【００６６】
Ｇｅｎｅｒａｌ  Ｐａｃｋｅｔ  Ｒａｄｉｏ  Ｓｅｒｖｉｃｅ（ＧＰＲＳ）は非ボイスサービスである。ＧＰＲＳは、情報が携帯電話網上で送信および受信されることを可能にする。ＧＰＲＳは、回路交換データ（ＣＳＤ：Circuit Switched Data）およびショートメッセージサービス（ＳＭＳ）を補足する。ＧＰＲＳは、ＧＳＭと同じ変調方式を採用する。ＧＰＲＳにより、単一の移動局がフレーム全体（すべての８つのタイムスロット）を同時に使用することが可能になる。したがって、より高いデータスループットレートが達成可能である。
【００６７】
ＥＤＧＥ規格は、ＧＭＳＫ変調と８ＰＳＫ変調の両方を使用する。また、変調タイプはバーストごとに変更され得る。ＥＤＧＥにおける８ＰＳＫ変調は、３π／８回転をもつ線形８値位相変調であり、ＧＭＳＫは、非線形ガウスパルス整形周波数変調である。ただし、ＧＳＭにおいて使用される特定のＧＭＳＫ変調は、線形変調（すなわち、π／２回転をもつ２値位相変調）を用いて近似され得る。近似されたＧＳＭＫのシンボルパルスと８ＰＳＫのシンボルパルスとは同じである。ＥＧＰＲＳ２規格は、ＧＭＳＫ変調と、ＱＰＳＫ変調と、８ＰＳＫ変調と、１６ＱＡＭ変調と、３２ＱＡＭ変調とを使用する。変調のタイプは、バーストごとに変更され得る。ＥＧＰＲＳ２におけるＱＰＳＫ変調、８ＰＳＫ変調、１６ＱＡＭ変調、および３２ＱＡＭ変調は、３π／４、３π／８、π／４、−π／４の回転をもつ、線形の４値、８値、１６値、および３２値の位相変調であり、ＧＭＳＫは、非線形ガウスパルス整形周波数変調である。ただし、ＧＳＭにおいて使用される特定のＧＭＳＫ変調は、線形変調（すなわち、π／２回転をもつ２値位相変調）を用いて近似され得る。近似されたＧＳＭＫのシンボルパルスと８ＰＳＫのシンボルパルスとは同じである。ＱＰＳＫ、１６ＱＡＭ、および３２ＱＡＭのシンボルパルスは、スペクトル的に狭いまたは広い、パルス形状を使用することができる。
【００６８】
図６に、本発明のいくつかの実施形態による、（電力増幅器（ＰＡ）６４２を含む）送信回路６４１と、受信回路６４３と、電力コントローラ６４４と、復号プロセッサ６４５と、信号を処理する際に使用する処理ユニット６４６と、メモリ６４７とを含むワイヤレスデバイス６００の一例を示す。ワイヤレスデバイス６００は、基地局１０２またはワイヤレス通信デバイス１０４であり得る。送信回路６４１および受信回路６４３により、ワイヤレスデバイス６００とリモートロケーションとの間の、オーディオ通信などのデータの送信および受信が可能になり得る。送信回路６４１および受信回路６４３はアンテナ６４０に結合され得る。
【００６９】
処理ユニット６４６は、ワイヤレスデバイス６００の動作を制御する。処理ユニット６４６は中央処理ユニット（ＣＰＵ）と呼ばれることもある。読取り専用メモリ（ＲＯＭ）とランダムアクセスメモリ（ＲＡＭ）の両方を含み得るメモリ６４７は、処理ユニット６４６に命令およびデータを与える。メモリ６４７の一部分は、不揮発性ランダムアクセスメモリ（ＮＶＲＡＭ）をも含み得る。
【００７０】
ワイヤレスデバイス６００の様々な構成要素は、データバスに加えて、電力バスと、制御信号バスと、ステータス信号バスとを含み得るバスシステム６４９によって互いに結合される。明快のために、図６では、様々なバスをバスシステム６４９として示してある。
【００７１】
説明する方法のステップはまた、ワイヤレスデバイス６００中のメモリ６４７中にあるソフトウェアまたはファームウェアの形態の命令として記憶され得る。これらの命令は、ワイヤレスデバイス６００の（１つまたは複数の）コントローラ／プロセッサによって実行され得る。代替的に、または連携して、説明する方法のステップは、ワイヤレスデバイス６００中のメモリ６４７中にあるソフトウェアまたはファームウェア６４８の形式の命令として記憶され得る。これらの命令は、図６中のワイヤレスデバイス６００の処理ユニット６４６によって実行され得る。
【００７２】
図７に、本発明のいくつかの実施形態による、送信機構造および／またはプロセスの一例を示す。図７の送信機構造および／またはプロセスは、ワイヤレス通信デバイス１０４または基地局１０２などのワイヤレスデバイスにおいて実装され得る。図７に示す機能および構成要素は、ソフトウェア、ハードウェア、またはソフトウェアとハードウェアとの組合せによって実装され得る。図示の機能に加えて、またはその代わりに、他の機能が図７に追加され得る。
【００７３】
図７では、データソース７５０が、フレーム品質インジケータ（ＦＱＩ：frame quality indicator）／エンコーダ７５２にデータｄ（ｔ）７５１を与える。フレーム品質インジケータ（ＦＱＩ）／エンコーダ７５２は、巡回冗長検査（ＣＲＣ：cyclic redundancy check）などのフレーム品質インジケータ（ＦＱＩ）をデータｄ（ｔ）に付加し得る。フレーム品質インジケータ（ＦＱＩ）／エンコーダ７５２はさらに、１つまたは複数のコーディング方式を使用してデータとフレーム品質インジケータ（ＦＱＩ）とを符号化して、符号化シンボル７５３を与え得る。各コーディング方式は、１つまたは複数のタイプのコーディング、たとえば、畳み込みコーディング、ターボコーディング、ブロックコーディング、反復コーディング、他のタイプのコーディングを含むか、またはまったくコーディングを含まないことがある。他のコーディング方式には、自動再送要求（ＡＲＱ：automatic repeat request）、ハイブリッドＡＲＱ（Ｈ−ＡＲＱ）、およびインクリメンタル冗長反復（incremental redundancy repeat）技法があり得る。異なるタイプのデータは、異なるコーディング方式を用いて符号化され得る。
【００７４】
インターリーバ７５４は、フェージングをなくすために時間的に符号化データシンボル７５３をインターリーブし、シンボル７５５を生成する。インターリーブされたシンボル７５５は、フレーム７５７を生成するために、フレームフォーマットブロック７５６によって、あらかじめ定義されたフレームフォーマットにマッピングされ得る。一例では、フレームフォーマットブロック７５６は、フレーム７５７を、複数のサブセグメントから構成されるものとして指定し得る。サブセグメントは、所与の次元、たとえば、時間、周波数、コードまたは任意の他の次元に沿った、フレーム７５７の連続する部分であり得る。フレーム７５７は、固定の複数のそのようなサブセグメントから構成され、各サブセグメントは、フレーム７５７に割り振られるシンボルの総数の一部分を含み得る。一例では、インターリーブされたシンボル７５５は、フレーム７５７を構成する複数Ｓ個のサブセグメントにセグメント化される。
【００７５】
フレームフォーマットブロック７５６はさらに、インターリーブされたシンボル７５５とともに、たとえば、制御シンボル（図示せず）を含むことを指定し得る。そのような制御シンボルは、たとえば、電力制御シンボル、フレームフォーマット情報シンボルなどを含み得る。
【００７６】
変調器７５８は、フレーム７５７を変調して被変調データ７５９を生成する。変調技法の例には、２位相シフトキーイング（ＢＰＳＫ：binary phase shift keying）および４位相シフトキーイング（ＱＰＳＫ：quadrature phase shift keying）がある。変調器７５８はまた、被変調データのシーケンスを反復し得る。
【００７７】
ベースバンド対無線周波数（ＲＦ）変換ブロック７６０は、ワイヤレス通信リンク上でアンテナ７６１を介して信号７６２として１つまたは複数のワイヤレスデバイス受信機に送信するために、被変調データ７５９をＲＦ信号に変換し得る。
【００７８】
図８は、本明細書で開示する本発明の実施形態が利用され得る基地局８０２の一構成を示すブロック図である。図８の基地局８０２は、図１に示した１つまたは複数の基地局１０２の１つの構成であり得る。以下でさらに詳細に説明するように、基地局８０２は、図８に示す方法で互いに接続または結合されている様々な構成要素を含むことができる。もちろん、希望または必要に応じて、異なる配置も使用され得る。
【００７９】
ネットワークトラフィックの量が大きく、したがって、新しい接続のために利用可能なチャネルがあったとしてもほとんどないとき、ワイヤレス通信デバイス１０４がチャネル要求を送信することは概して望ましくない。基地局８０２は、所与の時間期間内にチャネル要求を行うワイヤレス通信デバイス１０４の数を低減するために、アクセス制限データ８７９を使用し得る。さらに、このようにして、多数のワイヤレス通信デバイス１０４が、１つのページングメッセージ８７５および／またはアクセスメッセージ８７６によって拒否され得る。たとえば、５つ以上のワイヤレス通信デバイス１０４が、１つのアクセスメッセージ８７６によって拒否され得る。さらに、１〜４つのワイヤレス通信デバイス１０４も１つのアクセスメッセージ８７６によって拒否され得る。
【００８０】
コントローラ８７３（たとえば、電子プロセッサ）は、受信機８１３、ページャ８７１、メッセージ生成器８７２および送信機８１１に結合され、それらの動作を制御し得る。コントローラ８７３は、メモリ８０５に記憶された命令を取得し得る。
【００８１】
受信機８１３は優先度データ８６６を受信し得る。たとえば、優先度データ８６６は、ネットワークを管理または監視するワイヤレス通信システム１００の一部（たとえば、システムコントローラ１１０）によって与えられ得る。一構成では、システムコントローラ１１０は、受信機８１３に優先度データ８６６を与え得る。この例では、システムコントローラ１１０は、利用可能な未使用のチャネルの数を監視し、利用可能な未使用のチャネルの数の変化に応答する。一構成では、利用可能な未使用のチャネルの数が指定された数を下回ると、システムコントローラ１１０は、受信機８１３に優先度データ８６６を与え得る。
【００８２】
優先度データ８６６は、優先度値のセットを含み得る。基地局８０２が優先度値のセットを取得すると、メッセージ生成器８７２は、優先度値のセットを示すアクセス制限データ８７９を生成し得る。たとえば、ネットワークが８つの異なる優先度レベルを有する場合、優先度データ８６６は、ネットワーク上に１〜７の優先度値が存在することを指定し得る。別の例として、優先度データ８６６はまた、５以上の優先度レベルをもつすべてのワイヤレス通信デバイス１０４がネットワークにアクセスすることを制限されることを指定し得る。言い換えれば、一例では、１〜４の優先度値をもつワイヤレス通信デバイス１０４はネットワークにアクセスし得るが、５〜８の優先度値をもつワイヤレス通信デバイス１０４はネットワークにアクセスすることを制限され得る。一構成では、優先度データ８６６は、ネットワークのリソースの最適な使用を実現することになる優先度レベルを含み得る。たとえば、システムコントローラ１１０は、ネットワークリソースの最適な使用を判断し、したがって、それに応じて基地局１０２に命令することができる。たとえば、ネットワーク輻輳のレベルに基づいて、システムコントローラ１１０は、ある優先度レベルをもつワイヤレス通信デバイス１０４のみがネットワークにアクセスし得ると判断し得る。
【００８３】
別の例として、５つのクラスのワイヤレス通信デバイス１０４が存在し、各クラスが異なる関連する優先度値を有し得る。優先度データ８６６は、優先度値のセット中の複数の（たとえば、２つの）優先度値がワイヤレス通信デバイス１０４の５つのクラスのうちの２つと対応することを示し得る。したがって、アクセス制限データ８７９を含むメッセージ（たとえば、ページングメッセージ８７５および／またはアクセスメッセージ８７６）を受信すると、対応する優先度値をもつワイヤレス通信デバイス１０４の２つのグループは通信チャネルアクセスを制限されるようになり得る。このようにして、ワイヤレス通信デバイス１０４の複数のクラスまたはタイプに対してアクセスが制限され得るので、優先度値セットの使用は、基地局８０２が通信チャネルへのアクセスを制限する際により大きいフレキシビリティを与え得る。これは、ワイヤレス通信システム１００中のワイヤレス通信デバイス１０４の異なるサブセットが異なる関連する優先度値を有し得、ワイヤレス通信デバイス１０４の１つまたは複数のグループが基地局８０２によって単一のメッセージを使用して制限され得るからである。
【００８４】
優先度データ８６６は、少なくとも１つのワイヤレス通信デバイス１０４に関連付けられた優先度値を含み得る。一構成では、優先度データ８６６は、（低い優先度を示す）ただ１つの優先度値を含み得る。たとえば、ネットワークにおいて２つの輻輳の状態、輻輳ありと輻輳なしがあり得る。優先度データ８６６の存在は、ネットワークが輻輳していることを示し得る。代替的に、優先度データ８６６は、優先度値のセットから１つまたは複数の優先度値を示すのに役立ち得る。
【００８５】
優先度データ８６６は、通信チャネルが輻輳していることを示し得る。たとえば、優先度データ８６６は、ワイヤレス通信デバイス１０４による通信チャネルへのアクセスが制限されるべきであることを示す情報を含み得る。たとえば、優先度データ８６６は、どのワイヤレス通信デバイス１０４が通信チャネルにアクセスすることを制限されるべきかを示す優先度値を含み得る。
【００８６】
優先度データ８６６中の情報は、ネットワーク（たとえば、ネットワーク１００、８００）の輻輳状態を示し得る。一構成では、これは、（輻輳ありまたは輻輳なしを示す）２つの状態を有するフラグを使用して達成され得る。基地局８０２は、輻輳ありフラグを、低い優先度値が関連付けられたワイヤレス通信デバイス１０４に対して通信チャネルへのアクセスが制限されるべきであるという指示として扱い得る。言い換えれば、基地局８０２は、低い優先度値が関連付けられたワイヤレス通信デバイス１０４にメッセージを送り得る。メッセージは、ワイヤレス通信デバイス１０４が通信チャネルにアクセスすることを制限されることを指定し得る。いくつかの構成では、ワイヤレス通信デバイス１０４は、輻輳なしフラグを取得すると、それの優先度値にかかわらず通信チャネルにアクセスすることを試み得る。他の構成では、輻輳ありフラグの不在は、ワイヤレス通信デバイス１０４の優先度値にかかわらず、あらゆるワイヤレス通信デバイス１０４が通信チャネルにアクセスすることを試み得ることを示し得る。
【００８７】
さらに、優先度データ８６６は、優先度値のセットを示すのに役立ち得る。この場合、優先度データ８６６は、優先度値のセット中の１つの優先度値をもつワイヤレス通信デバイス１０４に対して通信チャネルへのアクセスが制限されるべきであることを示すのに役立つ。
【００８８】
いくつかの構成では、優先度値は、１つまたは複数のビットの組合せによって示され得る。たとえば、優先度データ８６６の３ビットは、最高８つの優先度値のうちの１つを与え得る。
【００８９】
優先度データ８６６は、データベース、メモリ（図示せず）、またはネットワーク中の他の場所に記憶され、受信機８１３に与えられ得る。たとえば、優先度データ８６６は、システムコントローラ１１０に記憶され、システムコントローラ１１０によって受信機８１３に与えられ得る。
【００９０】
いくつかの構成では、基地局８０２は、優先度データ８６６から取得された優先度値をメモリ８０５に記憶し得る。この場合、優先度値は、コントローラ８７３によってメッセージ生成器８７２に与えられ得る。記憶された優先度値を使用して、受信機８１３は、追加の優先度値を受信することなしに、それに応じて動作するように事前構成され得る。このようにして、基地局８０２は、トラフィック制御データ８７０など、ネットワークの輻輳状態を示すデータを受信し、その受信データに基づいてメッセージを生成し得る。
【００９１】
一例として、基地局８０２は、ネットワークの輻輳状態を示すデータフラグを受信し得る。コントローラ８７３は、メッセージ生成器８７２に、受信データに基づく優先度値を送り得る。メッセージ生成器８７２は、アクセス制限データ８７９をもつメッセージを生成し得る。アクセス制限データ８７９は、通信チャネルへのアクセスが制限されることをワイヤレス通信デバイス１０４に示し得る。
【００９２】
メッセージ生成器８７２は、受信機８１３と、送信機８１１と、ページャ８７１と、コントローラ８７３とに結合され得る。メッセージ生成器８７２は、受信機８１３から優先度データ８６６を受信し得る。メッセージ生成器８７２は、アクセス制限データ８７９を含むメッセージを生成するために優先度データ８６６を使用し得る。上記で説明したように、アクセス制限データ８７９は、１つまたは複数の優先度値を含むデータである。ワイヤレス通信デバイス１０４が、アクセス制限データ８７９中の優先度値に一致する優先度値を有する場合、ワイヤレス通信デバイス１０４は、通信チャネルにアクセスすることを制限され得る。
【００９３】
一構成では、アクセス制限データ８７９は、（アクセス制限データ８７９中の優先度値を使用して）通信チャネルにアクセスすることを制限される１つまたは複数のワイヤレス通信デバイス１０４を示し得る。一例では、アクセス制限データ８７９が特定の優先度レベルを含まない場合、アクセス制限データ８７９は、実際には、アクセス制限データ８７９を受信することができるすべてのワイヤレス通信デバイス１０４に宛てられる。代替的に、アクセス制限データ８７９は、特定の優先度値を有するすべてのワイヤレス通信デバイス１０４に宛てられ得る。
【００９４】
メッセージ生成器８７２によって生成されるメッセージは、ページングメッセージ８７５および／またはアクセスメッセージ８７６であり得る。ページングメッセージ８７５およびアクセスメッセージ８７６は各々、送信機８１１によって送信され得る。
【００９５】
メッセージ生成器８７２はまた、一部のワイヤレス通信デバイス１０４が通信チャネルへの制限付きアクセスを有する時間間隔を示すアクセス制限データ８７９を生成し得る。たとえば、ワイヤレス通信デバイス１０４は、ワイヤレス通信デバイス１０４が通信チャネルにアクセスすることを制限するアクセス制限データ８７９を含むページングメッセージ８７５および／またはアクセスメッセージ８７６を受信し得る。ワイヤレス通信デバイス１０４は、ある時間期間の間待つことによって応答し得、その時間期間の間、ワイヤレス通信デバイス１０４はアクセスを要求しない。たとえば、時間期間は、１〜１２０秒の範囲、１〜６０分の範囲、１〜２４時間の範囲、１〜１５日の範囲、またはそれらの変形態であり得る。時間期間が経過すると、ワイヤレス通信デバイス１０４は、次いで、通信チャネルへのアクセスを再び要求し得る。
【００９６】
ワイヤレス通信デバイス１０４は、アクセス制限データ８７９によって示される時間間隔に基づいて待つことに費やされる時間期間を判断し得る。本発明の一実施形態では、ワイヤレス通信デバイス１０４が待つ時間期間は、アクセス制限データ８７９によって示される時間間隔に基づいてランダム時間間隔を生成することによって判断され得る。アクセス制限データ８７９によって示される時間間隔は時間間隔範囲であり得る。
【００９７】
時間間隔は、メモリ８０５に記憶され、コントローラ８７３によってメッセージ生成器８７２に与えられ得る。代替的に、受信機８１３は、メッセージ生成器８７２に時間間隔を直接与え得る。時間間隔は、優先度データ８６６とは別々に、または優先度データ８６６とともに受信機８１３によって受信され得る。たとえば、時間間隔と優先度データ８６６とは両方とも、システムコントローラ１１０など、ネットワーク上の別のデバイスから受信され得る。
【００９８】
時間間隔は、時間間隔のセットのうちの１つであり得る。たとえば、時間間隔は、短い時間間隔（たとえば、数秒）またはより長い時間間隔（たとえば、数分、数時間または数日）であり得る。そのような異なる時間間隔により、ネットワークは、様々な状況に適した時間間隔を選定することが可能になる。たとえば、輻輳が低いときはより短い時間間隔がより適切であるが、輻輳がより大きいとき、より長い時間間隔がより適切である。時間間隔がただ１つの時間間隔を含むとき、メッセージ生成器８７２は、その１つの時間間隔を示すためにアクセス制限データ８７９を生成し得る。
【００９９】
メッセージ生成器８７２によって示される時間間隔は時間間隔の範囲であり得る。たとえば、アクセス制限データ８７９は、時間間隔を１〜１２０秒の範囲、１〜６０分の範囲、１〜２４時間の範囲、１〜１５日の範囲、またはそれらの変形態として示す情報を含み得る。時間間隔範囲を示すアクセス制限データ８７９を含むページングメッセージ８７５および／またはアクセスメッセージ８７６を受信するワイヤレス通信デバイス１０４は、次いで、示された時間間隔範囲から時間間隔を選択し得る。たとえば、アクセス制限データ８７９は、時間間隔を、１分〜６０分の間の時間間隔の範囲として示し得る。ワイヤレス通信デバイス１０４は、この範囲から値（たとえば、５分）を選択し得る。値を選択するために、ワイヤレス通信デバイス１０４によって様々な基準が使用され得る。たとえば、ワイヤレス通信デバイス１０４は、乱数発生アルゴリズムなどによる時間間隔の範囲からのランダム選択を使用して値を選択し得る。これは、時間期間にわたって複数のワイヤレス通信デバイス１０４間でチャネルを割り当てる際の公平性を保証するのに役立ち得る。
【０１００】
示される通信チャネルはアクセスチャネルであり得る。通信チャネルへのアクセスは、アクセス制限データ８７９に基づいて制限され得る。ワイヤレス通信デバイス１０４は、シグナリングによってアクセスチャネルへのアクセスを要求し得る。通信チャネルは、ワイヤレス通信デバイス１０４とワイヤレス通信システム１００の１つまたは複数の基地局８０２との間で有用なデータを転送するために使用されるアップリンクおよび／またはダウンリンク専用チャネルであり得る。
【０１０１】
通信チャネルはまた、ワイヤレス通信システム１００においてワイヤレス通信デバイス１０４による使用のために利用可能である複数の専用チャネルを含み得る。アクセス制限データ８７９は、時間間隔中に、優先度値が関連付けられたワイヤレス通信デバイス１０４が複数の専用チャネルのいずれかへの制限付きアクセスを有することを示し得る。たとえば、アクセス制限データ８７９は、時間間隔の間、ワイヤレス通信デバイス１０４が使用できるすべての専用チャネルへのアクセスが制限されることを示し得る。受信メッセージ中の優先度値に関連する優先度を有するページングメッセージ８７５および／またはアクセスメッセージ８７６を受信するワイヤレス通信デバイス１０４は、時間間隔中に専用チャネルにアクセスしようとするワイヤレス通信デバイス１０４による試みを遅延させることによって応答し得る。
【０１０２】
ページャ８７１は、メッセージ生成器８７２に結合され得る。一構成では、ページャ８７１は、メッセージ生成器８７２からアクセス制限データ８７９を受信し得る。ページャ８７１は、アクセス制限データ８７９を含むページングメッセージ８７５を生成し得る。ページングメッセージ８７５は、優先度値に関連する少なくとも１つのワイヤレス通信デバイス１０４に宛てられ得る。
【０１０３】
本発明の一実施形態では、送信機８１１は、ページャ８７１に結合され得る。送信機８１１は、ページングチャネルを介してページングメッセージ８７５を送信し得る。ページングチャネルは、ブロードキャストチャネルでもあるシグナリングチャネルであり得る。ブロードキャストチャネルは、１つまたは複数のワイヤレス通信デバイス１０４へのブロードキャストメッセージの形態でシグナリングデータを送るために使用される。
【０１０４】
いくつかの構成では、ページングチャネルは、ワイヤレス通信デバイス１０４のセット中にあるワイヤレス通信デバイス１０４をページングするのに好適である。ページャ８７１は、ページングメッセージ８７５を、ワイヤレス通信デバイス１０４のセットのサブセットのみに宛て得る。ページングチャネルを使用することによって、ネットワークは、ネットワークへのワイヤレス通信デバイス１０４のグループのアクセスを制御する能力を有する。たとえば、受信機８１３は、ワイヤレス通信デバイス１０４のサブセットまたはグループに対応するページンググループ８６７を示すデータを受信し得る。特定のページンググループ８６７に宛てられたメッセージをリッスンするワイヤレス通信デバイス１０４は、通信チャネルへの制限付きアクセスを有することになる。たとえば、特定のページンググループ８６７に宛てられたページングメッセージ８７５をリッスンするワイヤレス通信デバイス１０４は、指定された時間期間の間、ネットワークにアクセスするのを防げられることになる。
【０１０５】
基地局８０２は、１つのページンググループ８６７または複数のページンググループ８６７にページングメッセージ８７５を宛てることができる。これにより、ワイヤレス通信デバイス１０４の異なるサブセットが異なる時間にネットワークにアクセスするのを妨げることが可能になる。また、それにより、異なる時間期間中に異なる数のワイヤレス通信デバイス１０４がアクセス試行を行うようにアクセスを制御することが可能になる。ページンググループ８６７は、多数のワイヤレス通信デバイス１０４を含むことができるので、単一のページングメッセージ８７５を使用して多数のワイヤレス通信デバイス１０４に対して通信チャネルへのアクセスを制限することが可能である。
【０１０６】
基地局１０２は、ページングメッセージ８７５中にアクセス制限データ８７９を含め得る。アクセス制限データ８７９は、ページンググループ８６７内のワイヤレス通信デバイス１０４に宛てられ得る。言い換えれば、アクセス制限データ８７９をもつページングメッセージ８７５は、ページンググループ８６７内のワイヤレス通信デバイス１０４に宛てられ得る。
【０１０７】
ページャ８７１および送信機８１１は、ページンググループ８６７に関連する時間間隔であるページングオケージョン中にページングメッセージ８７５を送信し得る。そのようなページングオケージョンは、一般に、周期的に繰り返す。
【０１０８】
ワイヤレス通信デバイス１０４は、（たとえば、電力を節約するために）アイドルモードに切り替わり得る。アイドルモード中に、ワイヤレス通信デバイス１０４は、概して、データを送信または受信しない。しかしながら、ワイヤレス通信デバイス１０４は、ページを受信するとアクティブ化し得る（すなわち、アイドルモードからアクティブモードに切り替わり得る）。言い換えれば、アイドルモードにある、ページンググループ８６７中のワイヤレス通信デバイス１０４は、ページングオケージョン中にページングチャネルをリッスンするために、それらの受信機をアクティブ化し得る。
【０１０９】
送信機８１１は、メッセージ生成器８７２に結合され得る。送信機８１１は、アクセスメッセージ８７６を送信し得る。上記で説明したように、アクセスメッセージ８７６は、メッセージ生成器８７２によって生成され得、アクセス制限データ８７９を含み得る。アクセスメッセージ８７６はダウンリンクアクセスチャネルを介して送信され得る。ダウンリンクアクセスチャネルは、ブロードキャストチャネルでもあるシグナリングチャネルであり得る。
【０１１０】
ページングメッセージ８７５および／またはアクセスメッセージ８７６は、概して、受信機８１３によって受信されているアクセスデータに応答して送信されるが、ページングメッセージ８７５および／またはアクセスメッセージ８７６は、アクセス要求データ８６８とは無関係に送信され得ることを理解されたい。この場合、ページングメッセージ８７５および／またはアクセスメッセージ８７６の機能は、アクセスを要求したワイヤレス通信デバイス１０４による通信チャネルへのアクセスを許可することも拒否することも含まない。すなわち、ページングメッセージ８７５および／またはアクセスメッセージ８７６は、アクセスを要求するワイヤレス通信デバイス１０４から受信したチャネル要求に応答して、またはチャネル要求とは無関係に送信され得る。
【０１１１】
本発明の一実施形態では、ワイヤレス通信デバイス１０４が通信チャネルに接続することを希望すると、ワイヤレス通信デバイス１０４は、基地局１０２にチャネル要求メッセージを送る準備を開始する。ワイヤレス通信デバイス１０４はまた、許可または拒否されるべき要求についてダウンリンクアクセスチャネルをリッスンするために受信機をアクティブ化し得る。ワイヤレス通信デバイス１０４は、チャネル要求の送信後、時間期間の少なくとも終了までダウンリンクアクセスチャネルをリッスンし続ける。
【０１１２】
アクセス制限データ８７９は、ダウンリンクアクセスチャネル上で送信されるメッセージを受信し、処理することができるすべてのワイヤレス通信デバイス１０４に効果的に宛てられ得る。しかしながら、ダウンリンクアクセスチャネルをリッスンしているワイヤレス通信デバイス１０４のみが、受信されたアクセス制限データ８７９を実際に処理することになる。このようにして、ただ１つのワイヤレス通信デバイス１０４が通信チャネルにアクセスしたいという要求を行うが、アクセス制限データ８７９とともにページングメッセージ８７５および／またはアクセス要求メッセージ８７６を受信し、処理する複数のワイヤレス通信デバイス１０４は通信チャネルにアクセスすることを制限され得る。
【０１１３】
受信機８１３はまた、アップリンクアクセスチャネルを介してワイヤレス通信デバイス１０４によって送信されたアクセス要求データ８６８を受信し得る。アクセス要求データ８６８は、専用チャネル（たとえば、ボイスチャネルまたは別のタイプの専用チャネル）へのアクセスを要求するのに役立つ。受信機８１３は、受信したアクセス要求データ８６８をメッセージ生成器８７２に与え得る。いくつかの事例では、これは、コントローラ８７３の制御下で行われ得る。メッセージ生成器８７２は、アクセス要求データ８６８に基づいてアクセス許可データを生成し得る。
【０１１４】
受信機８１３はまた、システムコントローラ１１０など、ネットワークの１つまたは複数の他の要素からトラフィック制御データ８７０を受信し、コントローラ８７３にトラフィック制御データを与える。トラフィック制御データ８７０は、ワイヤレス通信システム１００におけるトラフィックに関する情報を含み得る。このトラフィック情報は、トラフィック輻輳レベルなど、トラフィックのステータスを含むことができる。トラフィック情報はまた、システムコントローラ１１０によって与えられた１つまたは複数のコマンドを含み得る。そのようなコマンドは、たとえば、輻輳が特定のレベルにあることを示すのに役立ち得る。
【０１１５】
コントローラ８７３は、アクセス要求データ８６８および／またはトラフィック制御データ８７０に基づいてページングメッセージ８７５および／またはアクセスメッセージ８７６を生成するようにメッセージ生成器８７２に命令し得る。ページングメッセージ８７５および／またはアクセスメッセージ８７６は、受信機８１３によって受信されたアクセス要求データ８６８を含むチャネル要求を送信したワイヤレス通信デバイス１０４にダイレクトされ得る。
【０１１６】
コントローラ８７３は、アクセス許可データを含むページングメッセージ８７５および／またはアクセスメッセージ８７６を送信するように送信機８１１に命令し得る。場合によっては、これは、トラフィック制御データ８７０に依存し得る。ページングメッセージ８７５および／またはアクセスメッセージ８７６は、アクセス要求データ８６８を用いてチャネル要求を送信したワイヤレス通信デバイス１０４に対してアクセスを許可するか、または拒否するために、ダウンリンクアクセスチャネルを介して送信され得る。ページングメッセージ８７５および／またはアクセスメッセージ８７６は、アクセス許可メッセージまたはアクセス拒否メッセージのいずれかを含み得る。
【０１１７】
アクセス要求データ８６８は、メッセージ生成器８７２を介して受信機８１３から送信機８１１に与えられ得る。アクセス要求データ８６８は、メッセージ生成器８７２によって生成されたメッセージ（すなわち、ページングメッセージ８７５および／またはアクセスメッセージ８７６）中に含まれ得る。ページングメッセージ８７５および／またはアクセスメッセージ８７６は、アクセスを要求したワイヤレス通信デバイス１０４に対してアクセスを許可するか、または拒否するのに役立ち得る。
【０１１８】
基地局８０２はまた、トラフィックデータなどの専用データ８６９を受信し得る。受信機８１３は、コントローラ８７３の制御下で、送信機８１１に受信した専用データ８６９を与え得る。専用データ８６９は、システムコントローラ１１０など、ワイヤレス通信システム１００の別の部分によって受信機８１３に与えられ得る。送信機８１１は、次いで、ダウンリンク専用チャネルを介して専用データ８６９を送信される専用データ８７７として送信し得る。送信された専用データ８７７は、１つまたは複数のワイヤレス通信デバイス１０４によって受信され得る。
【０１１９】
受信機８１３およびメッセージ生成器８７２は、ＴＸデータプロセッサ２３４内に含まれ得る。コントローラ８７３およびメモリ８０５は、それぞれ、図２に関して説明したコントローラ／プロセッサ２１４およびメモリ２１６に対応し得る。
【０１２０】
図９は、本発明のいくつかの実施形態による、アクセス制限データ８７９とともにメッセージを送信するための方法９００の流れ図である。方法９００は、基地局８０２または何らかの他の同様のアクセスポイントによって実行され得る。基地局８０２は、ワイヤレス通信デバイス１０４に関連付けられた優先度値を取得する（９０２）。優先度値は、その優先度値を有するワイヤレス通信デバイス１０４の通信チャネルへのアクセスが制限されるべきであることを示し得る。いくつかの構成では、優先度値の存在は、低い優先度値を示し得る。優先度値は、優先度データ８６６中に含まれ得る。
【０１２１】
優先度値は、１つまたは複数のビットの組合せによって示され得る。優先度値は、システムコントローラ１１０などからワイヤレス通信ネットワークの一部によって受信され得る。システムコントローラ１１０は、利用可能な未使用のチャネルの数を監視し得る。システムコントローラ１１０は、利用可能な未使用のチャネルの数に応答し得る。システムコントローラ１１０は、利用可能なチャネルの数が指定された数を下回ったときに低優先度ワイヤレス通信デバイス１０４のアクセスが制限されるべきであることを示すために、基地局８０２に優先度値を与え得る。
【０１２２】
本発明の一実施形態では、取得された優先度値は、ネットワークの輻輳状態を示し得る。たとえば、２つの状態を有するフラグは、真または偽として輻輳の存在を示し得る。優先度値はまた、低優先度ワイヤレス通信デバイス１０４の通信チャネルへのアクセスが制限されるべきであることを示すのに役立ち得る。
【０１２３】
基地局８０２は、アクセス制限データ８７９をもつメッセージを生成する（９０４）。メッセージは、１つまたは複数のワイヤレス通信デバイス１０４に宛てられ得る。メッセージは、取得された優先度値に基づき得る。アクセス制限データ８７９は、優先度値に関連するワイヤレス通信デバイス１０４のグループを示し得る。アクセス制限データ８７９はまた、ワイヤレス通信デバイス１０４のグループが通信チャネルへの制限付きアクセスを有すべきであることを示し得る。言い換えれば、アクセス制限データ８７９は、優先度値が関連付けられたワイヤレス通信デバイス１０４が通信チャネルへの制限付きアクセスを有することを示す。メッセージは、ページングメッセージ８７５またはアクセスメッセージ８７６であり得る。
【０１２４】
いくつかの構成では、優先度値は、高い優先度と比較して低い優先度を示し、したがって、アクセス制限データ８７９は、低い優先度値が関連付けられたワイヤレス通信デバイス１０４が通信チャネルへの制限付きアクセスを有することを示す。通信チャネルは、ワイヤレス通信デバイス１０４からワイヤレス通信システム１００の基地局１０２にデータを転送するために使用されるアップリンクチャネルであり得る。
【０１２５】
基地局８０２はワイヤレス通信デバイス１０４にメッセージを送信する（９０６）。メッセージは、ページングメッセージ８７５および／またはアクセスメッセージ８７６であり得る。メッセージは、アクセス制限データ８７９を含み得る。アクセス制限データ８７９は、優先度値が関連付けられた少なくとも１つのワイヤレス通信デバイス１０４に宛てられ得る。
【０１２６】
本発明の一実施形態では、宛てられるワイヤレス通信デバイス１０４はページンググループ８６７に属し得る。ページンググループ８６７は、ページングメッセージ８７５が宛てられたワイヤレス通信デバイス１０４のグループである。ページングメッセージ８７５はページングチャネルを介して送信され得る。
【０１２７】
いくつかの構成では、宛てられたワイヤレス通信デバイス１０４は、アクセスチャネルを介してアクセス可能であり得る。言い換えれば、アクセスメッセージ８７６はアクセスチャネルを介して送信され得る。
【０１２８】
図１０は、本発明のいくつかの実施形態による、アクセス制限データ８７９とともにメッセージを送信するための別の方法１０００の流れ図である。本方法は、基地局８０２によって実行され得る。基地局８０２は、ワイヤレス通信デバイス１０４に関連付けられた優先度値を取得する（１００２）。たとえば、優先度値は、ワイヤレス通信システム１００上のシステムコントローラ１１０から受信され得る。優先度値は、ネットワーク上での輻輳の存在を示し得る。優先度データ８６６から優先度値を取得する（１００２）。
【０１２９】
基地局８０２は、メッセージの一部分がアクセス制限データ８７９を含む休止オクテット情報要素を有するメッセージを生成する（１００４）。アクセス制限データ８７９は、１つまたは複数のワイヤレス通信デバイス１０４に宛てられ得る。休止オクテット情報要素は、圧縮形態（たとえば、Ｃｏｎｃｒｅｔｅ  Ｓｙｎｔａｘ  Ｎｏｔａｔｉｏｎ  Ｏｎｅ（ＣＳＮ．１））で送信される情報要素である。休止オクテット情報要素については、リスト（１）〜（１０）に関して以下でさらに詳細に説明する。
【０１３０】
基地局８０２は、優先度値に関連するワイヤレス通信デバイス１０４が制限付きアクセスを有する時間間隔を与える（１００６）。本発明の一実施形態では、基地局８０２は、アクセス制限データ８７９中で時間間隔を与える（１００６）。時間間隔は、時間間隔のセットのうちの１つであり得る。たとえば、時間間隔は、短い時間間隔（たとえば、数秒）であり得、またはより長い時間間隔（たとえば、数分、数時間または数日）であり得る。そのような異なる時間間隔により、ネットワークは、様々な状況に適した時間間隔を選定することが可能になる。たとえば、輻輳が低いとき、より短い時間間隔がより適切であるが、輻輳がより大きいとき、より長い時間間隔がより適切である。
【０１３１】
基地局８０２は、メッセージがページングメッセージ８７５であるのか、またはアクセスメッセージ８７６であるのかを判断する（１００８）。メッセージがページングメッセージ８７５である場合、基地局８０２は、ページングチャネル上でページングメッセージ８７５を送信する（１０１０）。メッセージがアクセスメッセージ８７６である場合、基地局８０２は、アクセスチャネル上でアクセスメッセージ８７６を送信する（１０１２）。
【０１３２】
図１１は、本明細書で開示する本発明の実施形態が利用され得るワイヤレス通信デバイス１１０４の一構成を示すブロック図である。図１１のワイヤレス通信デバイス１１０４は、図１に関して上記で説明したワイヤレス通信デバイス１０４の一例であり得る。ワイヤレス通信デバイス１１０４は、ページング／アクセス受信機１１８０と、コントローラ１１７３と、メモリ１１０５と、アクセスリストリクタ１１８１と、チャネルアクセスモジュール１１７８とを含み得る。
【０１３３】
ワイヤレス通信デバイス１１０４は、ページングメッセージ１１７５および／またはアクセスメッセージ１１７６を受信し、処理し得る。たとえば、ページングメッセージ１１７５および／またはアクセスメッセージ１１７６は、基地局８０２から受信され得る。本発明の一実施形態では、ページングメッセージ１１７５および／またはアクセスメッセージ１１７６は、ページング／アクセス受信機１１８０によって受信され得る。ページング／アクセス受信機１１８０は、図２に関して説明したＲＸデータプロセッサ２２８内に含まれ得る。
【０１３４】
コントローラ１１７３は、ページング／アクセス受信機１１８０と、チャネルアクセスモジュール１１７８と、アクセスリストリクタ１１８１との動作を制御し得る。コントローラ１１７３は、メモリ１１０５に記憶された命令を取得し得る。コントローラ１１７３およびメモリ１１０５は、それぞれ、図２に関して説明したコントローラ／プロセッサ２３０およびメモリ２３６に対応し得る。
【０１３５】
ページング／アクセス受信機１１８０は、ダウンリンクアクセスチャネルを介してアクセスメッセージ１１７６を受信し得る。ページング／アクセス受信機１１８０は、ページングチャネルを介してページングメッセージ１１７５を受信し得る。受信メッセージ（すなわち、ページングメッセージ１１７５および／またはアクセスメッセージ１１７６）は、アクセス制限データ８７９を含み得る。アクセス制限データ８７９は、ワイヤレス通信デバイス１１０４の通信チャネル１１８９へのアクセスを制限する優先度値を示し得る。言い換えれば、ワイヤレス通信デバイス１１０４に、アクセス制限データ８７９中で示された優先度と一致する優先度値が関連付けられている場合、ワイヤレス通信デバイス１１０４は、通信チャネル１１８９への制限付きアクセスを有し得る。
【０１３６】
通信チャネル１１８９は、ワイヤレス通信デバイス１１０４とワイヤレス通信システム１００との間の通信のために使用される任意のチャネルであり得る。一般に、通信チャネル１１８９は、上記で説明したように、専用チャネルなどのトラフィックチャネルである。
【０１３７】
本発明の一実施形態では、アクセス制限データ８７９は、１つ、２つまたはそれ以上の優先度値を有する情報（たとえば、１つまたは複数のビットを有するフラグ）を含み得る。１つの値は第１の優先度値を示し得、別の値は第２の優先度値を示し得る。代替的に、アクセス制限データ８７９が存在するだけで、優先度値（たとえば、低い優先度）を示すのに役立ち得る。この場合、アクセス制限データ８７９は、低い優先度をもつワイヤレス通信デバイス１０４が通信チャネル１１８９への制限付きアクセスを有することを示すのに役立つ。
【０１３８】
チャネルアクセスモジュール１１７８は、コントローラ１１７３とアクセスリストリクタ１１８１とに結合され得る。チャネルアクセスモジュール１１７８により、ワイヤレス通信デバイス１１０４は、通信チャネル１１８９にアクセスすることが可能になり得る。たとえば、チャネルアクセスモジュール１１７８は、通信チャネル１１８９を介して信号を受信および送信するために受信機および／または送信機を含み得る。通信チャネル１１８９は、ダウンリンクチャネルまたはアップリンクチャネルであり得る。
【０１３９】
アクセスリストリクタ１１８１は、チャネルアクセスモジュール１１７８と、ページング／アクセス受信機１１８０とに結合される。アクセスリストリクタ１１８１は、ページングメッセージ１１７５および／またはアクセスメッセージ１１７６中で受信されたアクセス制限データ８７９によって与えられた指示に基づいて、チャネルアクセスモジュール１１７８による通信チャネル１１８９へのアクセスを制限するか、または中断し得る。したがって、アクセスリストリクタ１１８１は、アクセス制限データ８７９に基づいて、チャネルアクセスモジュール１１７８が通信チャネル１１８９にアクセスするのを防げる。たとえば、アクセスリストリクタ１１８１は、チャネルアクセスモジュール１１７８に、チャネルアクセスモジュール１１７８の受信機および／または送信機を無効化するように命令し得る。これにより、チャネルアクセスモジュール１１７８は、消費電力を少なくし、通信チャネル１１８９の輻輳を低減することが可能になる。
【０１４０】
ワイヤレス通信デバイス１１０４は、メモリ１１０５内に記憶された優先度値を含み得る。アクセスリストリクタ１１８１は、記憶された優先度値を、ページングメッセージ１１７５および／またはアクセスメッセージ１１７６内のアクセス制限データ８７９によって示された優先度値と比較し得る。アクセス制限データ８７９によって示された優先度値が記憶された優先度値を含むとき、アクセスリストリクタ１１８１は、ワイヤレス通信デバイス１１０４による通信チャネル１１８９へのアクセスを制限および／または中断し得る。
【０１４１】
本発明の一実施形態では、ワイヤレス通信デバイス１１０４は、アクセス制限データ８７９中の優先度値と割り当てられた優先度値の両方を受信し得る。割り当てられた優先度値は、たとえば、システムコントローラ１１０によって割り当てられ得る。割り当てられた優先度値は、ワイヤレス通信デバイス１１０４に、記憶された優先度値として記憶され、アクセスリストリクタ１１８１によって使用され得る。たとえば、割り当てられた優先度値は、ページングメッセージ１１７５および／またはアクセスメッセージ１１７６中に含まれるか、またはワイヤレス通信デバイス１１０４に宛てられた別のメッセージ中に含まれ得る。メッセージは、ワイヤレス通信デバイス１１０４に、更新された優先度値を割り当て得る。さらに、割り当てられた優先度値は、１つまたは複数のワイヤレス通信デバイス１０４に宛てられ得る。
【０１４２】
図１２に、本発明のいくつかの実施形態による、ワイヤレス通信デバイス１２０４のより詳細な構成を示すブロック図である。図１２のワイヤレス通信デバイス１２０４は、図１に関して上記で説明したワイヤレス通信デバイス１０４の一例であり得る。ワイヤレス通信デバイス１２０４は、ページング／アクセス受信機１２８０と、チャネルアクセスモジュール１２７８と、アクセスリストリクタ１２８１と、コントローラ１２７３と、メモリ１２０５とを含み得る。
【０１４３】
本発明の一実施形態では、チャネルアクセスモジュール１２７８は、通信チャネル１１８９にアクセスし得る。たとえば、チャネルアクセスモジュール１２７８は、アップリンク通信チャネルを介して信号を送信し得る。チャネルアクセスモジュール１２７８は、送信データソース１２８２と、アップリンク通信チャネル１１８９を介してアップリンク信号中でアップリンクデータ１２８３を送信するための送信機１２８４とを含み得る。
【０１４４】
アクセスリストリクタ１２８１は、チャネルアクセスモジュール１２７８がアップリンクデータ１２８３を送信するのを防げることによって、チャネルアクセスモジュール１２７８が通信チャネル１１８９にアクセスするのを中断するか、または制限し得る。一構成では、アクセスリストリクタ１２８１は、チャネルアクセスモジュール１２７８中の送信データソース１２８２を無効化して、送信データソース１２８２が送信機１２８４に送信データを与えるのを防げ得る。別の構成では、アクセスリストリクタ１２８１は送信機１２８４を無効化して、送信機１２８４がアップリンクデータ１２８３を送信するのを防げ得る。さらに別の構成では、アクセスリストリクタ１２８１は、送信データソース１２８２と送信機１２８４の両方を無効化し、それによって、リソースを節約し、チャネルアクセスモジュール１２７８の電力消費量を低減し得る。
【０１４５】
送信データソース１２８２は、（アクセス要求メッセージなどの）アップリンクデータ１２８３を生成するためのメッセージ生成器８７２を含み得る。アクセス要求メッセージは、基地局１０２からの通信チャネル１１８９へのアクセスを要求し得る。言い換えれば、ワイヤレス通信デバイス１２０４は、基地局１０２にアクセス要求メッセージを送ることによって、通信チャネル１１８９へのアクセスを要求し得る。
【０１４６】
ワイヤレス通信デバイス１２０４は、アップリンク通信チャネル１１８９を介してアップリンクデータ１２８３としてアクセス要求メッセージを送信し得る。基地局１０２から応答がない場合、複数のアクセス要求メッセージが送られ得る。しかしながら、ワイヤレス通信デバイス１２０４が、ワイヤレス通信デバイス１２０４にアクセス要求を中断するように命令するアクセス制限データ８７９を受信する場合、アクセスリストリクタ１２８１は、チャネルアクセスモジュール１２７８が、アクセス要求メッセージを送信すること、および／またはアップリンク通信チャネル１１８９を介してアップリンクデータ１２８３を送ることを防げ得る。
【０１４７】
受信機１２１３は、コントローラ１２７３とチャネルアクセスモジュール１２７８とに結合され得る。受信機１２１３は、ダウンリンク通信チャネル１１８９を介してワイヤレス通信デバイス１２０４にダイレクトされたダウンリンクデータ１２８５を受信し得る。一構成では、アクセスリストリクタ１２８１は、受信機１２１３を非アクティブ化し得る。このようにして、ワイヤレス通信デバイス１２０４におけるリソース使用量が低減され得る。受信機１２１３を非アクティブ化することはまた、受信機１２１３における処理および電力消費量を低減し得る。
【０１４８】
ページングメッセージ１２７５および／またはアクセスメッセージ１２７６を受信するページング／アクセス受信機１２８０と、ダウンリンクデータ１２８２を受信する受信機１２１３との両方は、コントローラ１２７３によって制御される単一の受信機の一部であり得る。言い換えれば、単一の受信機が、ページングメッセージ１２７５および／またはアクセスメッセージ１２７６とダウンリンクデータ１２８２とを受信し得る。
【０１４９】
本発明の一実施形態では、アクセスリストリクタ１２８１は、通信チャネル１１８９へのアクセスが制限される時間間隔中に受信機１２１３を非活動化し得る。ワイヤレス通信デバイス１２０４は、アクセス制限データ８７９によって示された時間間隔に基づいて、ワイヤレス通信デバイス１２０４が待つことに費やすべき時間期間を判断し得る。一構成では、ワイヤレス通信デバイス１２０４が待つ時間期間は、アクセス制限データ８７９によって示された時間間隔に基づいてランダム時間値を生成することによって判断され得る。
【０１５０】
コントローラ１２７３は、ページング／アクセス受信機１２８０と、受信機１２１３と、アクセスリストリクタ１２８１と、送信データソース１２８２と、送信機１２８４とに結合され得、それらを制御し得る。コントローラ１２７３は、メモリ１２０５から命令を取得し得る。コントローラ１２７３およびメモリ１２０５は、それぞれ、図２に関して説明したコントローラ／プロセッサ２３０およびメモリ２３６に対応し得る。
【０１５１】
図１３は、本発明のいくつかの実施形態による、アクセス制限データ８７９とともにメッセージを受信するための方法１３００の流れ図である。方法１３００はワイヤレス通信デバイス１１０４によって実行され得る。
【０１５２】
ワイヤレス通信デバイス１１０４は、アクセス制限データ８７９を含むメッセージを受信する（１３０２）。メッセージは、ページングメッセージ１１７５および／またはアクセスメッセージ１１７６であり得る。
【０１５３】
ワイヤレス通信デバイス１１０４は、アクセス制限データ８７９から優先度値を取得する（１３０４）。アクセス制限データ８７９は、ワイヤレス通信デバイス１１０４またはワイヤレス通信デバイス１０４のグループに関連付けられた優先度値を示し得る。言い換えれば、優先度値は、関連する優先度値を有するワイヤレス通信デバイス１０４の通信チャネル１１８９へのアクセスが制限されるべきであることを示し得る。いくつかの構成では、優先度値自体の存在が、低い優先度値（たとえば、通信チャネル１１８９へのアクセスが制限および／または中断されるべきであること）を示し得る。
【０１５４】
ワイヤレス通信デバイス１１０４は、優先度値から、それが通信チャネル１１８９への制限付きアクセスを有するワイヤレス通信デバイス１１０４のグループの一部であるかどうかを判断する（１３０６）。いくつかの構成では、アクセス制限データ８７９は、特定のワイヤレス通信デバイス１０４またはワイヤレス通信デバイス１０４の任意のグループに宛てられないことがある。その結果、アクセス制限データ８７９は、実際には、アクセス制限データ８７９を受信することができるすべてのワイヤレス通信デバイス１０４に宛てられる。
【０１５５】
ワイヤレス通信デバイス１１０４は、通信チャネル１１８９へのアクセスを制限する（１３０８）。制限は、アクセス制限データ８７９によって与えられる指示に基づき得る。一構成では、より低い優先度値をもつワイヤレス通信デバイス１０４の１つのグループは、通信チャネル１１８９へのアクセスが制限および／または中断され得るが、より高い優先度レベルをもつワイヤレス通信デバイス１０４の別のグループはアクセスが許可され得る。
【０１５６】
図１４は、本発明のいくつかの実施形態による、アクセス制限データ８７９とともにメッセージを受信するための別の方法１４００の流れ図である。方法１４００はワイヤレス通信デバイス１１０４によって実行され得る。
【０１５７】
ワイヤレス通信デバイス１１０４はメッセージを受信する（１４０２）。メッセージは、ページングメッセージ１１７５および／またはアクセスメッセージ１１７６であり得る。メッセージの一部分は、アクセス制限データ８７９を含む休止オクテット情報要素を有し得る。休止オクテット情報要素については、リスト（１）〜（１０）に関して以下でさらに詳細に説明する。
【０１５８】
ワイヤレス通信デバイス１１０４は、アクセス制限データ８７９から優先度値を取得する（１４０４）。ワイヤレス通信デバイス１１０４は、優先度値から、それが通信チャネルへの制限付きアクセスを有するワイヤレス通信デバイス１１０４のグループの一部であるかどうかを判断する（１４０６）。ワイヤレス通信デバイス１０４のグループは、１つまたは複数のワイヤレス通信デバイス１１０４を含み得る。いくつかの構成では、ワイヤレス通信デバイス１０４のグループはページンググループ８６７であり得る。
【０１５９】
ワイヤレス通信デバイス１１０４は、アクセス制限データ８７９から、アクセスが制限される時間間隔を取得する（１４０８）。たとえば、ある時間期間の間、ワイヤレス通信デバイス１０４のグループの通信チャネル１１８９へのアクセスは一時的に制限および／または中断され得る。時間間隔は、メッセージによって示され得る。いくつかの構成では、時間間隔は、様々な時間間隔範囲のセットであり得る。たとえば、メッセージは、時間間隔を１〜１２０秒の範囲、１〜６０分の範囲、１〜２４時間の範囲、１〜１５日の範囲などとして示すアクセス制限データ８７９を含み得る。
【０１６０】
ワイヤレス通信デバイス１１０４は、通信チャネルへのアクセスを制限すべき、時間間隔内の時間の値を判断する（１４１０）。たとえば、ワイヤレス通信デバイス１１０４は、ワイヤレス通信デバイス１１０４が待つことに費やす時間の値を判断し得る。時間の値は、アクセス制限データ８７９によって示された時間間隔に基づき得る。一構成では、ワイヤレス通信デバイス１１０４が待つ時間の値は、アクセス制限データ８７９によって示される時間間隔に基づいてランダム時間間隔を生成することによって判断され得る。本発明の一実施形態では、アクセス制限データ８７９によって示される時間間隔は時間間隔範囲であり得る。
【０１６１】
ワイヤレス通信デバイス１１０４は、通信チャネル１１８９へのアクセスを制限する（１４１２）。制限は、アクセス制限データ８７９によって与えられた指示に基づき得る。たとえば、ワイヤレス通信デバイス１１０４は、ある時間期間（たとえば、時間の値）の間、通信チャネル１１８９にアクセスしたいという要求を行うことを制限され得る。時間期間は、ワイヤレス通信デバイス１１０４によって判断された時間の値であり得る。
【０１６２】
ワイヤレス通信デバイス１１０４は、時間の判断された値が過ぎた（すなわち、経過した）とき、通信チャネル１１８９へのアクセス制限を取り除く（１４１４）。言い換えれば、ワイヤレス通信デバイス１１０４によって判断された時間の値が経過すると、ワイヤレス通信デバイス１１０４は、通信チャネル１１８９へのアクセスを再び要求し得る。このようにして、通信チャネル１１８９へのネットワーク輻輳が低減され得る。さらに、ワイヤレス通信デバイス１１０４の処理および電力消費量も低減され得る。
【０１６３】
例示的な表およびリスト
本明細書で説明するシステムおよび方法は、ＧＳＭ／ＥＤＧＥ無線アクセスネットワーク（ＧＥＲＡＮ：GSM/EDGE Radio Access Network）規格に従って動作するワイヤレス通信システム１００に適用され得る。たとえば、ワイヤレス通信デバイス１０４のグループは、それらがアクセス試行を行っていない（すなわち、チャネル要求メッセージを送信していない）場合でも制御され得る。このようにして、ネットワークの輻輳のためにいずれにせよネットワークによって拒否されることになる、デバイスによる不要なアクセス試行が回避され得る。
【０１６４】
ＧＥＲＡＮワイヤレス通信システム１００のワイヤレス通信デバイス１０４は、ランダムアクセスチャネル（ＲＡＣＣＨ）として知られるアクセスチャネルを介してチャネル要求メッセージを送信し得る。アクセス制限データ８７９は、休止オクテット情報要素として以下のページングおよび／またはアクセスメッセージのうちの１つまたは複数に追加され得る。
【０１６５】
いくつかの構成では、ページング休止オクテット情報要素がページングメッセージ８７５に追加され得る。これらの休止オクテット情報要素は、ページング要求タイプ１メッセージ休止オクテット、ページング要求タイプ２メッセージ休止オクテットおよび／またはページング要求タイプ３メッセージ休止オクテットを含み得る。知られているページング要求タイプ１、２および３休止オクテットは、仕様３ＧＰＰ  ＴＳ  ４４．０１８（Ｒｅｌｅａｓｅ９）、セクション１０．５．２に記載されている。
【０１６６】
アクセス制限データ８７９は、拒否データとして働き得、１つまたは複数のワイヤレス通信デバイス１０４に対してアクセスを拒否し得る。この手法の下で、ネットワークは、ワイヤレス通信デバイス１０４がアクセスを開始するのを防げることができ、ランダムアクセスチャネルの不要な使用を回避することができる。
【０１６７】
デバイスに拒否情報を配信する最大時間は、４８０ミリ秒から２１１８ミリ秒の範囲にあることができる、セルにおいて使用されるページング期間によって支配される。最小時間は、２０ミリ秒（すなわち、ページングメッセージを配信するためにかかる時間）であり得る。
【０１６８】
ページング要求休止オクテット情報要素の詳細について、以下でさらに詳細に与える。休止オクテット情報要素ごとに、休止オクテット情報要素の構成要素を記載する擬似コードリストが与えられる。
【０１６９】
ページング要求タイプ１メッセージ休止オクテット（Ｐ１休止オクテット）情報要素は、既存の通知チャネル（ＮＣＨ：existing notification channel）に関する情報のステータス、移動局の識別情報に適用される優先度レベル、通知およびパケットページ指示、マルチメディアブロードキャストマルチキャストサービス（ＭＢＭＳ：Multimedia Broadcast Multicast Service）通知、地震津波警報システム（ＥＴＷＳ：Earthquake and Tsunami Warning System）の１次通知（Primary Notification）メッセージのセグメント、ならびにスペアビットに関する情報を含む。
【０１７０】
Ｐ１休止オクテット情報要素は、０〜１７オクテットの長さをもつタイプ５情報要素である。Ｐ１休止オクテット情報要素は、以下のリスト（１）では擬似コードで記載されている。修正が太字体で示されていることに留意されたい。リスト（１）：
【数１】
2014510507.tif 000003
2014510507.tif 000004
2014510507.tif 000005
【０１７１】
リスト（１）は、２ビットフィールドであるＲＥＪＥＣＴ  ＡＬＬ  ＬＯＷ  ＰＲＩＯＲＩＴＹ  ＤＥＶＩＣＥＳ（すべての低パリティデバイスを拒否する）を含む。このフィールドの存在は、アクセスを行っているかまたはアクセスを行うことを試みているすべての低優先度デバイスが拒否され、これらのデバイスが、以下の表１に示すように定義されたランダム期間の間待つ必要があることを暗示する。
【表１】
2014510507.tif 000006
【０１７２】
ページング要求タイプ２メッセージ休止オクテット（Ｐ２休止オクテット）情報要素は、ネットワークによって必要とされるチャネルに関する情報と、既存の通知チャネル（ＮＣＨ）に関する情報のステータス、移動局の識別情報に適用される優先度レベルおよびパケットページ指示、マルチメディアブロードキャストマルチキャストサービス（ＭＢＭＳ）通知、ならびにスペアビットに関する情報とを含む。
【０１７３】
Ｐ２休止オクテット情報要素は、１〜１１オクテットの長さをもつタイプ５情報要素である。Ｐ２休止オクテット情報要素は、以下のリスト（２）では擬似コードで記載されている。修正が太字体で示されていることに留意されたい。リスト（２）：
【数２】
2014510507.tif 000007
【０１７４】
リスト（２）は、２ビットフィールドであるＲＥＪＥＣＴ  ＡＬＬ  ＬＯＷ  ＰＲＩＯＲＩＴＹ  ＤＥＶＩＣＥＳを含む。このフィールドの存在は、アクセスを行っているかまたはアクセスを行うことを試みているすべての低優先度デバイスが拒否され、これらのデバイスが、以下の表２に示すように定義されたランダム期間の間待つ必要があることを暗示する。
【表２】
2014510507.tif 000008
【０１７５】
ページング要求タイプ３メッセージ休止オクテット（Ｐ３休止オクテット）情報要素は、ネットワークによって必要とされるチャネルに関する情報と、既存の通知チャネル（ＮＣＨ）に関する情報のステータス、移動局の識別情報に適用される優先度レベル、およびスペアビットに関する情報とを含む。スペアビットの目的は、後の段階でページングチャネル（ＰＣＨ：paging channel）に関する新しい情報の上位互換性を持つ導入を可能にすることである。
【０１７６】
Ｐ３休止オクテット情報要素は、３オクテットの長さをもつタイプ５情報要素である。Ｐ３休止オクテット情報要素は、以下のリスト（３）では擬似コードで記載されている。修正が太字体で示されていることに留意されたい。リスト（３）：
【数３】
2014510507.tif 000009
【０１７７】
リスト（３）は、２ビットフィールドであるＲＥＪＥＣＴ  ＡＬＬ  ＬＯＷ  ＰＲＩＯＲＩＴＹ  ＤＥＶＩＣＥＳを含む。このフィールドの存在は、アクセスを行っているかまたはアクセスを行うことを試みているすべての低優先度デバイスが拒否され、これらのデバイスが、以下の表３に示すように定義されたランダム期間の間待つ必要があることを暗示する。
【表３】
2014510507.tif 000010
【０１７８】
上記で説明した手法に加えて、ページング休止オクテット（Ｐ１休止オクテット、Ｐ２休止オクテットおよびＰ３休止オクテット）ごとに、代替手法が採用され得る。１つの代替手法は、どの優先度グループまたはアクセスグループがアクセス試行を行うことを拒否されるのかをネットワークがシグナリングするためのものである。この手法はまた、Ｐ１休止オクテットおよびＰ２休止オクテットを用いて適用され得る。以下のリスト（４）に、擬似コードで、修正Ｐ３休止オクテット情報要素を生成するために、この代替手法がＰ３休止オクテット情報要素にどのように適用されるかを示す。Ｐ１およびＰ２休止オクテット情報要素についての擬似コードリストは、同様の方法で変更され得る。修正が太字体で示されていることに留意されたい。リスト（４）：
【数４】
2014510507.tif 000011
【０１７９】
リスト（４）は、２ビットフィールドであるＲＥＪＥＣＴ  ＡＬＬ  ＰＲＩＯＲＩＴＹ  Ｘ  ＤＥＶＩＣＥＳを含む。このフィールドの存在は、アクセスを行っているかまたはアクセスを行うことを試みているすべての、優先度がｘのデバイスが拒否され、これらのデバイスが、以下の表４に示すように定義されたランダム期間の間待つ必要があることを暗示する。ｘの値は［０．．．ｎ］とする。
【表４】
2014510507.tif 000012
【０１８０】
別の代替手法は、以下に示すように、どの優先度グループまたはアクセスグループがアクセスを行うことを拒否されるのかをネットワークがシグナリングするためのものである。この手法はまた、Ｐ１休止オクテットおよびＰ２休止オクテットを用いて適用され得る。以下のリスト（５）の擬似コードリストに、この代替手法がどのように適用されるかを示す。修正が太字体で示されていることに留意されたい。リスト（５）：
【数５】
2014510507.tif 000013
【０１８１】
リスト（５）は、３ビットフィールドであるＲＥＪＥＣＴ  ＰＲＩＯＲＩＴＹを含む。この３ビットフィールドのコードは、以下の表５に示すように定義した通りである。
【表５】
2014510507.tif 000014
【０１８２】
リスト（５）はまた、２ビットフィールドであるＲＥＪＥＣＴ  ＰＥＲＩＯＤを含む。この２ビットフィールドのコードは、以下の表６に示すように定義した通りである。
【表６】
2014510507.tif 000015
【０１８３】
いくつかの構成では、アクセス割当て休止オクテット情報要素がアクセスメッセージ８７６に追加され得る。これらの休止オクテット情報要素は、直接割当て拒否メッセージ休止オクテット（ＩＡＲ（IMMEDIATE ASSIGNMENT REJECT）休止オクテット）、直接割当て拡張メッセージ休止オクテット（ＩＡＸ（IMMEDIATE ASSIGNMENT EXTENDED）休止オクテット）および／または直接割当てメッセージ休止オクテット（ＩＡ（IMMEDIATE ASSIGNMENT）休止オクテット）を含み得る。知られているアクセス割当て要求タイプ１、２および３休止オクテットは、仕様３ＧＰＰ  ＴＳ  ４４．０１８（Ｒｅｌｅａｓｅ９）、セクション１０．５．２に記載されている。アクセス割当てメッセージは、通信チャネルへのアクセスを、最近アクセス試行を行ったデバイス、またはアクセス試行を行うプロセスにあるデバイスのみに制限するために使用される。
【０１８４】
直接割当て拒否メッセージ休止オクテット（ＩＡＲ休止オクテット）情報要素は、スペアビット、または場合によっては拡張ＲＡ情報を含む。ＩＡＲ休止オクテットは、３オクテットの長さをもつタイプ５情報要素である。ＩＡＲ休止オクテット情報要素は、以下のリスト（６）では擬似コードで記載されている。
【数６】
2014510507.tif 000016
【０１８５】
リスト（６）は、２ビットフィールドであるＲＥＪＥＣＴ  ＡＬＬ  ＬＯＷ  ＰＲＩＯＲＩＴＹ  ＤＥＶＩＣＥＳを含む。このフィールドの存在は、アクセスを行っているかまたはアクセスを行うことを試みているすべての低優先度デバイスが拒否され、これらのデバイスが、以下の表７に示すように定義されたランダム期間の間待つ必要があることを暗示する。
【表７】
2014510507.tif 000017
【０１８６】
特定の優先度またはアクセスクラスをもつデバイスを拒否するための代替手法を以下のリスト（７）に示す。修正が太字体で示されていることに留意されたい。リスト（７）：
【数７】
2014510507.tif 000018
【０１８７】
リスト（７）は、２ビットフィールドであるＲＥＪＥＣＴ  ＡＬＬ  ＰＲＩＯＲＩＴＹ  ｘ  ＤＥＶＩＣＥＳを含む。このフィールドの存在は、アクセスを行っているかまたはアクセスを行うことを試みているすべての、優先度がｘのデバイスが拒否され、これらのデバイスが、以下の表８に示すように定義されたランダム期間の間待つ必要があることを暗示する。ｘの値は［０．．．ｎ］とする。
【表８】
2014510507.tif 000019
【０１８８】
特定の優先度またはアクセスクラスをもつデバイスを拒否するための別の代替手法を以下のリスト（８）に示す。修正が太字体で示されていることに留意されたい。リスト（８）：
【数８】
2014510507.tif 000020
【０１８９】
リスト（８）は、２ビットフィールドであるＲＥＪＥＣＴ  ＰＲＩＯＲＩＴＹを含む。２ビットフィールドのコードは、以下の表９に示すように定義した通りである。
【表９】
2014510507.tif 000021
【０１９０】
リスト（８）はまた、３ビットフィールドであるＲＥＪＥＣＴ  ＰＥＲＩＯＤを含む。この３ビットフィールドのコードは、以下の表１０に示すように定義した通りである。
【表１０】
2014510507.tif 000022
【０１９１】
直接割当て拡張メッセージ休止オクテット（ＩＡＸ休止オクテット）情報要素は、以下のリスト（９）に指定するシンタックスに従って、３ＧＰＰ  ＴＳ  ４４．０１８表１０．５．２．１８．１に記述されているようにコーディングされる。ＩＡＸ休止オクテット情報要素は、０〜４オクテットの長さをもつタイプ５情報要素である。修正が太字体で示されていることに留意されたい。リスト（９）：
【数９】
2014510507.tif 000023
【０１９２】
リスト（９）は、２ビットフィールドであるＲＥＪＥＣＴ  ＡＬＬ  ＬＯＷ  ＰＲＩＯＲＩＴＹ  ＤＥＶＩＣＥＳを含む。このフィールドの存在は、アクセスを行っているかまたはアクセスを行うことを試みているすべての低優先度デバイスが拒否され、これらのデバイスが、以下の表１１に示すように定義されたランダム期間の間待つ必要があることを暗示する。
【表１１】
2014510507.tif 000024
【０１９３】
ＩＡＲ休止オクテットに関して説明したリスト（７）〜（８）と同様の、特定の優先度またはアクセスクラスをもつデバイスを拒否するための代替手法も採用され得る。
【０１９４】
直接割当てメッセージ休止オクテット（ＩＡ休止オクテット）情報要素は、スペアビットと、場合によっては、パケットアップリンク割当て構成、パケットダウンリンク割当て構成、第２部（second part）パケット割当て構成、周波数パラメータ、前時間（before time）または複数ブロックパケットダウンリンク割当て構成のいずれかとを含む。周波数パラメータ、前時間構成は、モバイル割振り（mobile allocation）（節１０．５．２．２１参照）とモバイル割振りインデックスオフセット（ＭＡＩＯ：mobile allocation index offset）とを組み合わせる。
【０１９５】
ＩＡ休止オクテット情報要素は、以下のリスト（１０）に指定するシンタックスに従って、３ＧＰＰ  ＴＳ  ４４．０１８表１０．５．２．１６．１に記述されているようにコーディングされる。ＩＡ休止オクテット情報要素は、０〜１１オクテットの長さをもつタイプ５情報要素である。修正が太字体で示されていることに留意されたい。リスト（１０）：
【数１０】
2014510507.tif 000025
【０１９６】
リスト（１０）は、２ビットフィールドであるＲＥＪＥＣＴ  ＡＬＬ  ＬＯＷ  ＰＲＩＯＲＩＴＹ  ＤＥＶＩＣＥＳを含む。このフィールドの存在は、アクセスを行っているかまたはアクセスを行うことを試みているすべての低優先度デバイスが拒否され、これらのデバイスが、以下の表１２に示すように定義されたランダム期間の間待つ必要があることを暗示する。
【表１２】
2014510507.tif 000026
【０１９７】
代替および例示的な実施形態のさらなる説明
図１５に、本発明のいくつかの実施形態による、基地局１５０２内に含まれ得るいくつかの構成要素を示す。基地局１５０２は、アクセスポイント、ブロードキャスト送信機、ノードＢ、発展型ノードＢなどと呼ばれることもあり、それらの機能の一部または全部を含み得る。基地局１５０２はプロセッサ１５０３を含む。プロセッサ１５０３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１５０３は中央処理ユニット（ＣＰＵ）と呼ばれることがある。図１５の基地局１５０２中に単一のプロセッサ１５０３のみを示しているが、代替構成では、プロセッサの組合せ（たとえば、ＡＲＭとＤＳＰ）が使用され得る。
【０１９８】
基地局１５０２はメモリ１５０５をも含む。メモリ１５０５は、電子情報を記憶することが可能な任意の電子的構成要素であり得る。メモリ１５０５は、ランダムアクセスメモリ（ＲＡＭ）、読取り専用メモリ（ＲＯＭ）、磁気ディスクストレージ媒体、光記憶媒体、ＲＡＭ中のフラッシュメモリデバイス、プロセッサとともに含まれるオンボードメモリ、ＥＰＲＯＭメモリ、ＥＥＰＲＯＭメモリ、レジスタなど、およびそれらの組合せとして実施され得る。
【０１９９】
データ１５０７ａおよび命令１５０９ａがメモリ１５０５に記憶され得る。命令１５０９ａは、本明細書で開示する方法を実装するためにプロセッサ１５０３によって実行可能であり得る。命令１５０９ａを実行することは、メモリ１５０５に記憶されたデータ１５０７ａの使用を含み得る。プロセッサ１５０３が命令１５０９ａを実行すると、命令１５０９ｂの様々な部分がプロセッサ１５０３上にロードされ得、様々ないくつかのデータ１５０７ｂがプロセッサ１５０３上にロードされ得る。
【０２００】
基地局１５０２はまた、基地局１５０２との間での信号の送信および受信を可能にするために、送信機１５１１と受信機１５１３とを含み得る。送信機１５１１と受信機１５１３とはトランシーバ１５１５と総称され得る。アンテナ１５１７はトランシーバ１５１５に電気的に結合され得る。基地局１５０２はまた、複数の送信機、複数の受信機、複数のトランシーバおよび／または追加のアンテナ（図示せず）を含み得る。
【０２０１】
基地局１５０２はデジタル信号プロセッサ（ＤＳＰ）１５２１を含み得る。基地局１５０２は通信インターフェース１５２３をも含み得る。通信インターフェース１５２３により、ユーザは、基地局１５０２と対話することが可能になり得る。
【０２０２】
基地局１５０２の様々な構成要素は、電力バス、制御信号バス、ステータス信号バス、データバスなどを含み得る、１つまたは複数のバスによって互いに結合され得る。明快のために、図１５では、様々なバスをバスシステム１５１９として示してある。
【０２０３】
図１６に、本発明のいくつかの実施形態による、ワイヤレス通信デバイス１６０４内に含まれ得るいくつかの構成要素を示す。ワイヤレス通信デバイス１６０４は、アクセス端末、移動局、ユーザ機器（ＵＥ）などであり得る。ワイヤレス通信デバイス１６０４はプロセッサ１６０３を含む。プロセッサ１６０３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１６０３は中央処理ユニット（ＣＰＵ）と呼ばれることがある。図１６のワイヤレス通信デバイス１６０４中に単一のプロセッサ１６０３のみを示しているが、代替構成では、プロセッサの組合せ（たとえば、ＡＲＭとＤＳＰ）が使用され得る。
【０２０４】
ワイヤレス通信デバイス１６０４はメモリ１６０５をも含む。メモリ１６０５は、電子情報を記憶することが可能な任意の電子的構成要素であり得る。メモリ１６０５は、ランダムアクセスメモリ（ＲＡＭ）、読取り専用メモリ（ＲＯＭ）、磁気ディスクストレージ媒体、光記憶媒体、ＲＡＭ中のフラッシュメモリデバイス、プロセッサとともに含まれるオンボードメモリ、ＥＰＲＯＭメモリ、ＥＥＰＲＯＭメモリ、レジスタなど、およびそれらの組合せとして実施され得る。
【０２０５】
データ１６０７ａおよび命令１６０９ａがメモリ１６０５に記憶され得る。命令１６０９ａは、本明細書で開示する方法を実装するためにプロセッサ１６０３によって実行可能であり得る。命令１６０９ａを実行することは、メモリ１６０５に記憶されたデータ１６０７ａの使用を含み得る。プロセッサ１６０３が命令１６０９を実行すると、命令１６０９ｂの様々な部分がプロセッサ１６０３上にロードされ得、様々ないくつかのデータ１６０７ｂがプロセッサ１６０３上にロードされ得る。
【０２０６】
ワイヤレス通信デバイス１６０４はまた、アンテナ１６１７を介したワイヤレス通信デバイス１６０４との間での信号の送信および受信を可能にするために、送信機１６１１と受信機１６１３とを含み得る。送信機１６１１と受信機１６１３とはトランシーバ１６１５と総称され得る。ワイヤレス通信デバイス１６０４はまた、複数の送信機、複数のアンテナ、複数の受信機および／または複数のトランシーバを含み得る（図示せず）。
【０２０７】
ワイヤレス通信デバイス１６０４はデジタル信号プロセッサ（ＤＳＰ）１６２１を含み得る。ワイヤレス通信デバイス１６０４は通信インターフェース１６２３をも含み得る。通信インターフェース１６２３により、ユーザは、ワイヤレス通信デバイス１６０４と対話することが可能になり得る。
【０２０８】
ワイヤレス通信デバイス１６０４の様々な構成要素は、電力バス、制御信号バス、ステータス信号バス、データバスなどを含み得る１つまたは複数のバスによって互いに結合され得る。明快のために、図１６では、様々なバスをバスシステム１６１９として示してある。
【０２０９】
本明細書に記載の技法は、直交多重化方式に基づく通信システムを含む様々な通信システムに使用され得る。そのような通信システムの例には、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアはデータで独立して変調され得る。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。一般に、変調シンボルは、ＯＦＤＭでは周波数領域で、ＳＣ−ＦＤＭＡでは時間領域で送られる。
【０２１０】
上記の説明では、様々な用語とともに参照番号を時々使用した。用語が参照番号とともに使用されている場合、これは、図の１つまたは複数に示された特定の要素を指すものとする。用語が参照番号なしに使用されている場合、これは、概して特定の図に限定されない用語を指すものとする。
【０２１１】
「判断」という用語は、多種多様なアクションを包含し、したがって、「判断」は、計算、算出、処理、導出、調査、探索（たとえば、テーブル、データベースまたは別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選定、確立などを含むことができる。
【０２１２】
「に基づいて」という句は、別段に明記されていない限り、「のみに基づいて」を意味しない。言い換えれば、「に基づいて」という句は、「のみに基づいて」と「に少なくとも基づいて」の両方を表す。
【０２１３】
「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指すことがある。
【０２１４】
「メモリ」という用語は、電子情報を記憶することが可能な任意の電子的構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなど、様々なタイプのプロセッサ可読媒体を指すことがある。プロセッサがメモリから情報を読み取り、および／または情報をメモリに書き込むことができる場合、メモリはプロセッサと電子通信していると言われる。プロセッサに一体化されたメモリは、プロセッサと電子通信している。
【０２１５】
「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを含み得る。
【０２１６】
本明細書で説明する機能は、ハードウェアによって実行されるソフトウェアまたはファームウェアで実装され得る。機能は、１つまたは複数の命令としてコンピュータ可読媒体上に記憶され得る。「コンピュータ可読媒体」または「コンピュータプログラム製品」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で所望のプログラムコードを搬送または記憶するために使用され得、コンピュータによってアクセスされ得る、任意の他の媒体を含み得る。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、データを磁気的に再生し、ディスク（disc）は、データをレーザで光学的に再生する。コンピュータ可読媒体は有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【０２１７】
ソフトウェアまたは命令はまた、伝送媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【０２１８】
本明細書で開示する方法は、説明した方法を達成するための１つまたは複数のステップまたはアクションを含む。本方法のステップおよび／またはアクションは、特許請求の範囲から逸脱することなく互いに交換され得る。言い換えれば、説明されている方法の適切な動作のためにステップまたはアクションの特定の順序が必要とされない限り、特定のステップおよび／またはアクションの順序および／または使用は、特許請求の範囲から逸脱することなく修正され得る。
【０２１９】
さらに、図９、図１０、図１３および図１４によって示されたものなど、本明細書で説明する方法および技法を実行するためのモジュールおよび／または他の適切な手段は、デバイスによってダウンロードおよび／または他の方法で取得され得ることを諒解されたい。たとえば、デバイスは、本明細書で説明した方法を実行するための手段の転送を可能にするために、サーバに結合され得る。代替的に、本明細書で説明する様々な方法は、記憶手段をデバイスに結合するかまたは与えるときにデバイスが様々な方法を獲得し得るように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって提供され得る。さらに、本明細書で説明した方法および技法をデバイスに与えるための任意の他の好適な技法が利用され得る。
【０２２０】
特許請求の範囲は、上記に示した正確な構成および構成要素に限定されないことを理解されたい。特許請求の範囲から逸脱することなく、本明細書で説明したシステム、方法、および装置の構成、動作および詳細において、様々な修正、変更および変形が行われ得る。
【図１】
2014510507.tif 000027
【図２】
2014510507.tif 000028
【図３】
2014510507.tif 000029
【図４】
2014510507.tif 000030
【図５】
2014510507.tif 000031
【図６】
2014510507.tif 000032
【図７】
2014510507.tif 000033
【図８】
2014510507.tif 000034
【図９】
2014510507.tif 000035
【図１０】
2014510507.tif 000036
【図１１】
2014510507.tif 000037
【図１２】
2014510507.tif 000038
【図１３】
2014510507.tif 000039
【図１４】
2014510507.tif 000040
【図１５】
2014510507.tif 000041
【図１６】
2014510507.tif 000042
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
通信チャネルへのアクセスを制限するための方法であって、
少なくとも１つのワイヤレス通信デバイスに宛てられる、アクセス制限データを備えるメッセージを生成することであって、前記アクセス制限データは、ワイヤレス通信デバイスのグループが前記グループに関連する優先度値に基づいて通信チャネルへの制限付きアクセスを有することを示し、前記アクセス制限データは、前記優先度値に関連するワイヤレス通信デバイスが制限付きアクセスを有する時間間隔の長さを示す、生成することと、
前記少なくとも１つのワイヤレス通信デバイスに前記メッセージを送信することと
を備える、方法。
【請求項２】
前記方法が基地局によって実行される、請求項１に記載の方法。
【請求項３】
前記アクセス制限データが、パケット処理と回線交換処理の両方に好適である、請求項１に記載の方法。
【請求項４】
前記優先度値が優先度値のセットを備え、前記アクセス制限データを生成することが、優先度値の前記セットを生成する、請求項１に記載の方法。
【請求項５】
前記メッセージの一部分が、アクセス制限データを備える休止オクテット情報要素である、請求項１に記載の方法。
【請求項６】
前記メッセージは、指定されたワイヤレス通信デバイスによる指定された通信チャネルへのアクセスが許可されるかどうかをさらに示す、請求項５に記載の方法。
【請求項７】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項５に記載の方法。
【請求項８】
前記時間間隔が、時間間隔のセットのうちの１つの時間間隔を備え、前記アクセス制限データを生成することが前記１つの時間間隔をさらに示す、請求項１に記載の方法。
【請求項９】
前記１つの時間間隔が、
１〜１２０秒の範囲と、
１〜６０分の範囲と、
１〜２４時間の範囲と、
１〜１５日の範囲と
のうちの１つである範囲を有する時間間隔範囲である、請求項８に記載の方法。
【請求項１０】
前記通信チャネルが、ワイヤレス通信システムにおいてワイヤレス通信デバイスによる使用のために利用可能である複数の専用チャネルを備え、前記優先度値が関連付けられたワイヤレス通信デバイスが、前記時間間隔中に前記複数の専用チャネルのいずれにもアクセスできない、請求項1に記載の方法。
【請求項１１】
前記優先度値が受信機から取得される、請求項１に記載の方法。
【請求項１２】
前記メッセージが、前記少なくとも１つのワイヤレス通信デバイスに宛てられたページングメッセージであり、前記メッセージを送信することが、ページングチャネル上で前記ページングメッセージを送信することを備える、請求項１に記載の方法。
【請求項１３】
前記ページングメッセージの一部分が休止オクテット情報要素を備える、請求項１２に記載の方法。
【請求項１４】
前記メッセージが、前記少なくとも１つのワイヤレス通信デバイスに宛てられたアクセスメッセージを備え、前記メッセージを送信することが、アクセスチャネル上で前記アクセスメッセージを送信することを備える、請求項１に記載の方法。
【請求項１５】
前記アクセスメッセージの一部分が休止オクテット情報要素を備える、請求項１４に記載の方法。
【請求項１６】
ワイヤレス通信デバイスによる通信チャネルへのアクセスを制限するための方法であって、
アクセス制限データを備えるメッセージを受信することであって、前記アクセス制限データは、ワイヤレス通信デバイスのグループが前記グループに関連する優先度値に基づいて通信チャネルへの制限付きアクセスを有することを示し、前記アクセス制限データは、前記優先度値に関連するワイヤレス通信デバイスが制限付きアクセスを有する時間間隔の長さを示す、受信することと、
前記アクセス制限データによって与えられた前記指示に基づいて前記通信チャネルへのアクセスを制限することと
を備える、方法。
【請求項１７】
前記メッセージの一部分が、アクセス制限データを備える休止オクテット情報要素であり、アクセスを制限することが前記休止オクテット情報要素にさらに基づく、請求項１６に記載の方法。
【請求項１８】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項１７に記載の方法。
【請求項１９】
前記優先度値が優先度値のセットを備え、前記アクセス制限データを生成することが、優先度値の前記セットを生成する、請求項１６に記載の方法。
【請求項２０】
前記ワイヤレス通信デバイスが記憶された優先度値を備え、アクセスを制限することは、前記優先度値が前記記憶された優先度値を備えるときに行われる、請求項１６に記載の方法。
【請求項２１】
前記通信チャネルがアップリンク通信チャネルを備える、請求項１６に記載の方法。
【請求項２２】
前記アップリンク通信チャネルを介してアップリンクデータを送信することをさらに備える、請求項２１に記載の方法。
【請求項２３】
前記アップリンクデータが前記通信チャネルへのアクセスの要求を備える、請求項２２に記載の方法。
【請求項２４】
アクセスを制限することが、前記時間間隔内の時間の値にさらに基づく、請求項１６に記載の方法。
【請求項２５】
時間の前記値が経過したとき、前記通信チャネルへのアクセス制限を取り除くことをさらに備える、請求項２４に記載の方法。
【請求項２６】
前記時間間隔が、時間間隔のセットのうちの１つの時間間隔を備え、前記アクセス制限データを生成することが前記１つの時間間隔をさらに示す、請求項１６に記載の方法。
【請求項２７】
前記１つの時間間隔が、１〜１２０秒の範囲と、１〜６０分の範囲と、１〜２４時間の範囲と、１〜１５日の範囲とのうちの１つである時間間隔範囲である、請求項２６に記載の方法。
【請求項２８】
前記通信チャネルが、ワイヤレス通信システムにおいてワイヤレス通信デバイスによる使用のために利用可能である複数の専用チャネルを備え、前記優先度値が関連付けられたワイヤレス通信デバイスが、前記時間間隔中に前記複数の専用チャネルのいずれにもアクセスできない、請求項１６に記載の方法。
【請求項２９】
前記メッセージは、指定されたワイヤレス通信デバイスによる指定された通信チャネルへのアクセスが許可されるかどうかをさらに示す、請求項１６に記載の方法。
【請求項３０】
前記メッセージが、ページングメッセージであり、ページングチャネル上で受信される、請求項１６に記載の方法。
【請求項３１】
前記メッセージが、アクセスメッセージであり、アクセスチャネル上で受信される、請求項１６に記載の方法。
【請求項３２】
通信チャネルへのアクセスを制限するための装置であって、
プロセッサと、
前記プロセッサと電子通信しているメモリと、
前記メモリに記憶された命令と
を備え、前記命令が、前記プロセッサによって、
少なくとも１つのワイヤレス通信デバイスに宛てられる、アクセス制限データを備えるメッセージを生成することであって、前記アクセス制限データは、ワイヤレス通信デバイスのグループが前記グループに関連する優先度値に基づいて通信チャネルへの制限付きアクセスを有することを示し、前記アクセス制限データは、前記優先度値に関連するワイヤレス通信デバイスが制限付きアクセスを有する時間間隔の長さを示す、生成することと、
前記少なくとも１つのワイヤレス通信デバイスに前記メッセージを送信することと
を行うように実行可能である、装置。
【請求項３３】
前記メッセージの一部分が、アクセス制限データを備える休止オクテット情報要素である、請求項３２に記載の装置。
【請求項３４】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項３３に記載の装置。
【請求項３５】
通信チャネルへのアクセスを制限するためのワイヤレス通信デバイスであって、
プロセッサと、
前記プロセッサと電子通信しているメモリと、
前記メモリに記憶された命令と
を備え、前記命令が、前記プロセッサによって、アクセス制限データを備えるメッセージを受信することであって、前記アクセス制限データは、ワイヤレス通信デバイスのグループが前記グループに関連する優先度値に基づいて通信チャネルへの制限付きアクセスを有することを示し、前記アクセス制限データは、前記優先度値に関連するワイヤレス通信デバイスが制限付きアクセスを有する時間間隔の長さを示す、受信することと、
前記アクセス制限データによって与えられた前記指示に基づいて前記通信チャネルへのアクセスを制限することと
を行うように実行可能である、ワイヤレス通信デバイス。
【請求項３６】
前記メッセージの一部分が、アクセス制限データを備える休止オクテット情報要素であり、アクセスを制限することが前記休止オクテット情報要素にさらに基づく、請求項３５に記載のワイヤレス通信デバイス。
【請求項３７】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項３６に記載のワイヤレス通信デバイス。
【請求項３８】
前記ワイヤレス通信デバイスが記憶された優先度値を備え、アクセスを制限することは、前記優先度値が前記記憶された優先度値を備えるときに行われる、請求項３５に記載のワイヤレス通信デバイス。
【請求項３９】
通信チャネルへのアクセスを制限するためのコンピュータプログラム製品であって、
前記コンピュータプログラム製品が、命令をその上に有する非一時的コンピュータ可読媒体を備え、前記命令が、基地局に、少なくとも１つのワイヤレス通信デバイスに宛てられる、アクセス制限データを備えるメッセージを生成させるためのコードであって、前記アクセス制限データは、ワイヤレス通信デバイスのグループが前記グループに関連する優先度値に基づいて通信チャネルへの制限付きアクセスを有することを示し、前記アクセス制限データは、前記優先度値に関連するワイヤレス通信デバイスが制限付きアクセスを有する時間間隔の長さを示す、生成させるためのコードと、
基地局に、前記少なくとも１つのワイヤレス通信デバイスに前記メッセージを送信させるためのコードと
を備える、コンピュータプログラム製品。
【請求項４０】
前記メッセージの一部分が、アクセス制限データを備える休止オクテット情報要素である、請求項３９に記載のコンピュータプログラム製品。
【請求項４１】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項４０に記載のコンピュータプログラム製品。
【請求項４２】
ワイヤレス通信デバイス上で通信チャネルへのアクセスを制限するためのコンピュータプログラム製品であって、前記コンピュータプログラム製品が、命令をその上に有する非一時的コンピュータ可読媒体を備え、前記命令が、
ワイヤレス通信デバイスに、アクセス制限データを備えるメッセージを受信させるためのコードであって、前記アクセス制限データは、ワイヤレス通信デバイスのグループが前記グループに関連する優先度値に基づいて通信チャネルへの制限付きアクセスを有することを示し、前記アクセス制限データは、前記優先度値に関連するワイヤレス通信デバイスが制限付きアクセスを有する時間間隔の長さを示す、受信させるためのコードと、
ワイヤレス通信デバイスに、前記アクセス制限データによって与えられた前記指示に基づいて前記通信チャネルへのアクセスを制限させるためのコードと
を備える、コンピュータプログラム製品。
【請求項４３】
前記メッセージの一部分が、アクセス制限データを備える休止オクテット情報要素であり、アクセスを制限することが前記休止オクテット情報要素にさらに基づく、請求項４２に記載のコンピュータプログラム製品。
【請求項４４】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項４３に記載のコンピュータプログラム製品。
【請求項４５】
前記ワイヤレス通信デバイスが記憶された優先度値を備え、アクセスを制限することは、前記優先度値が前記記憶された優先度値を備えるときに行われる、請求項４２に記載のコンピュータプログラム製品。
【請求項４６】
通信チャネルへのアクセスを制限するための装置であって、
少なくとも１つのワイヤレス通信デバイスに宛てられる、アクセス制限データを備えるメッセージを生成するための手段であって、前記アクセス制限データは、ワイヤレス通信デバイスのグループが前記グループに関連する優先度値に基づいて通信チャネルへの制限付きアクセスを有することを示し、前記アクセス制限データは、前記優先度値に関連するワイヤレス通信デバイスが制限付きアクセスを有する時間間隔の長さを示す、生成するための手段と、
前記少なくとも１つのワイヤレス通信デバイスに前記メッセージを送信するための手段と
を備える装置。
【請求項４７】
前記メッセージの一部分が、アクセス制限データを備える休止オクテット情報要素である、請求項４６に記載の装置。
【請求項４８】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項４７に記載の装置。
【請求項４９】
ワイヤレス通信デバイスによる通信チャネルへのアクセスを制限するためのワイヤレス通信デバイスであって、アクセス制限データを備えるメッセージを受信するための手段であって、前記アクセス制限データは、ワイヤレス通信デバイスのグループが前記グループに関連する優先度値に基づいて通信チャネルへの制限付きアクセスを有することを示し、前記アクセス制限データは、前記優先度値に関連するワイヤレス通信デバイスが制限付きアクセスを有する時間間隔の長さを示す、受信するための手段と、
前記アクセス制限データによって与えられた前記指示に基づいて前記通信チャネルへのアクセスを制限するための手段と
を備える、ワイヤレス通信デバイス。
【請求項５０】
前記メッセージの一部分が、アクセス制限データを備える休止オクテット情報要素であり、アクセスを制限することが前記休止オクテット情報要素にさらに基づく、請求項４９に記載のワイヤレス通信デバイス。
【請求項５１】
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項５０に記載のワイヤレス通信デバイス。
【請求項５２】
前記ワイヤレス通信デバイスが記憶された優先度値を備え、アクセスを制限することは、前記優先度値が前記記憶された優先度値を備えるときに行われる、請求項４９に記載のワイヤレス通信デバイス。
【手続補正２】
【補正対象書類名】明細書
【補正対象項目名】０２２０
【補正方法】変更
【補正の内容】
【０２２０】
特許請求の範囲は、上記に示した正確な構成および構成要素に限定されないことを理解されたい。特許請求の範囲から逸脱することなく、本明細書で説明したシステム、方法、および装置の構成、動作および詳細において、様々な修正、変更および変形が行われ得る。
以下に、本件の出願当初の特許請求の範囲を付記する。
［Ｃ１］
通信チャネルへのアクセスを制限するための方法であって、
少なくとも１つのワイヤレス通信デバイスに宛てられる、アクセス制限データを備えるメッセージを生成することであって、前記アクセス制限データは、ワイヤレス通信デバイスのグループが優先度値に関連付けられることと、ワイヤレス通信デバイスの前記グループが通信チャネルへの制限付きアクセスを有することとを示す、生成することと、
前記少なくとも１つのワイヤレス通信デバイスに前記メッセージを送信することと
を備える、方法。
［Ｃ２］
前記方法が基地局によって実行される、請求項１に記載の方法。
［Ｃ３］
前記アクセス制限データが、パケット処理と回線交換処理の両方に好適である、請求項１に記載の方法。
［Ｃ４］
前記優先度値が優先度値のセットを備え、前記アクセス制限データを生成することが、優先度値の前記セットを生成する、請求項１に記載の方法。
［Ｃ５］
前記メッセージの一部分が、アクセス制限データを備える休止オクテット情報要素である、請求項１に記載の方法。
［Ｃ６］
前記メッセージは、指定されたワイヤレス通信デバイスによる指定された通信チャネルへのアクセスが許可されるかどうかをさらに示す、請求項５に記載の方法。
［Ｃ７］
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項５に記載の方法。
［Ｃ８］
前記アクセス制限データは、前記優先度値に関連するワイヤレス通信デバイスが制限付きアクセスを有する時間間隔を示す、請求項１に記載の方法。
［Ｃ９］
前記時間間隔が、時間間隔のセットのうちの１つの時間間隔を備え、前記アクセス制限データを生成することが前記１つの時間間隔をさらに示す、請求項８に記載の方法。
［Ｃ１０］
前記１つの時間間隔が、
１〜１２０秒の範囲と、
１〜６０分の範囲と、
１〜２４時間の範囲と、
１〜１５日の範囲と
のうちの１つである範囲を有する時間間隔範囲である、請求項９に記載の方法。
［Ｃ１１］
前記通信チャネルが、ワイヤレス通信システムにおいてワイヤレス通信デバイスによる使用のために利用可能である複数の専用チャネルを備え、前記優先度値が関連付けられたワイヤレス通信デバイスが、前記時間間隔中に前記複数の専用チャネルのいずれにもアクセスできない、請求項８に記載の方法。
［Ｃ１２］
前記優先度値が受信機から取得される、請求項１に記載の方法。
［Ｃ１３］
前記メッセージが、前記少なくとも１つのワイヤレス通信デバイスに宛てられたページングメッセージであり、前記メッセージを送信することが、ページングチャネル上で前記ページングメッセージを送信することを備える、請求項１に記載の方法。
［Ｃ１４］
前記ページングメッセージの一部分が休止オクテット情報要素を備える、請求項１３に記載の方法。
［Ｃ１５］
前記メッセージが、前記少なくとも１つのワイヤレス通信デバイスに宛てられたアクセスメッセージを備え、前記メッセージを送信することが、アクセスチャネル上で前記アクセスメッセージを送信することを備える、請求項１に記載の方法。
［Ｃ１６］
前記アクセスメッセージの一部分が休止オクテット情報要素を備える、請求項１５に記載の方法。
［Ｃ１７］
ワイヤレス通信デバイスによる通信チャネルへのアクセスを制限するための方法であって、
アクセス制限データを備えるメッセージを受信することであって、前記アクセス制限データは、ワイヤレス通信デバイスのグループが優先度値に関連付けられることと、ワイヤレス通信デバイスの前記グループが通信チャネルへの制限付きアクセスを有することとを示す、受信することと、
前記アクセス制限データによって与えられた前記指示に基づいて前記通信チャネルへのアクセスを制限することと
を備える、方法。
［Ｃ１８］
前記メッセージの一部分が、アクセス制限データを備える休止オクテット情報要素であり、アクセスを制限することが前記休止オクテット情報要素にさらに基づく、請求項１７に記載の方法。
［Ｃ１９］
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項１８に記載の方法。
［Ｃ２０］
前記優先度値が優先度値のセットを備え、前記アクセス制限データを生成することが、優先度値の前記セットを生成する、請求項１７に記載の方法。
［Ｃ２１］
前記ワイヤレス通信デバイスが記憶された優先度値を備え、アクセスを制限することは、前記優先度値が前記記憶された優先度値を備えるときに行われる、請求項１７に記載の方法。
［Ｃ２２］
前記通信チャネルがアップリンク通信チャネルを備える、請求項１７に記載の方法。
［Ｃ２３］
前記アップリンク通信チャネルを介してアップリンクデータを送信することをさらに備える、請求項２２に記載の方法。
［Ｃ２４］
前記アップリンクデータが前記通信チャネルへのアクセスの要求を備える、請求項２３に記載の方法。
［Ｃ２５］
前記アクセス制限データは、前記優先度値に関連するワイヤレス通信デバイスが制限付きアクセスを有する時間間隔を示す、請求項１７に記載の方法。
［Ｃ２６］
アクセスを制限することが、前記時間間隔内の時間の値にさらに基づく、請求項２５に記載の方法。
［Ｃ２７］
時間の前記値が経過したとき、前記通信チャネルへのアクセス制限を取り除くことをさらに備える、請求項２６に記載の方法。
［Ｃ２８］
前記時間間隔が、時間間隔のセットのうちの１つの時間間隔を備え、前記アクセス制限データを生成することが前記１つの時間間隔をさらに示す、請求項２５に記載の方法。
［Ｃ２９］
前記１つの時間間隔が、１〜１２０秒の範囲と、１〜６０分の範囲と、１〜２４時間の範囲と、１〜１５日の範囲とのうちの１つである時間間隔範囲である、請求項２８に記載の方法。
［Ｃ３０］
前記通信チャネルが、ワイヤレス通信システムにおいてワイヤレス通信デバイスによる使用のために利用可能である複数の専用チャネルを備え、前記優先度値が関連付けられたワイヤレス通信デバイスは、前記時間間隔中に前記複数の専用チャネルのいずれにもアクセスできない、請求項２５に記載の方法。
［Ｃ３１］
前記メッセージは、指定されたワイヤレス通信デバイスによる指定された通信チャネルへのアクセスが許可されるかどうかをさらに示す、請求項１７に記載の方法。
［Ｃ３２］
前記メッセージが、ページングメッセージであり、ページングチャネル上で受信される、請求項１７に記載の方法。
［Ｃ３３］
前記メッセージが、アクセスメッセージであり、アクセスチャネル上で受信される、請求項１７に記載の方法。
［Ｃ３４］
通信チャネルへのアクセスを制限するための装置であって、
プロセッサと、
前記プロセッサと電子通信しているメモリと、
前記メモリに記憶された命令と
を備え、前記命令が、前記プロセッサによって、
少なくとも１つのワイヤレス通信デバイスに宛てられる、アクセス制限データを備えるメッセージを生成することであって、前記アクセス制限データは、ワイヤレス通信デバイスのグループが優先度値に関連付けられることと、ワイヤレス通信デバイスの前記グループが通信チャネルへの制限付きアクセスを有することとを示す、生成することと、
前記少なくとも１つのワイヤレス通信デバイスに前記メッセージを送信することと
を行うように実行可能である、装置。
［Ｃ３５］
前記メッセージの一部分が、アクセス制限データを備える休止オクテット情報要素である、請求項３４に記載の装置。
［Ｃ３６］
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項３５に記載の装置。
［Ｃ３７］
前記アクセス制限データは、前記優先度値に関連するワイヤレス通信デバイスが制限付きアクセスを有する時間間隔を示す、請求項３４に記載の装置。
［Ｃ３８］
通信チャネルへのアクセスを制限するためのワイヤレス通信デバイスであって、
プロセッサと、
前記プロセッサと電子通信しているメモリと、
前記メモリに記憶された命令と
を備え、前記命令が、前記プロセッサによって、
アクセス制限データを備えるメッセージを受信することであって、前記アクセス制限データは、ワイヤレス通信デバイスのグループが優先度値に関連付けられることと、ワイヤレス通信デバイスの前記グループが通信チャネルへの制限付きアクセスを有することとを示す、受信することと、
前記アクセス制限データによって与えられた前記指示に基づいて前記通信チャネルへのアクセスを制限することと
を行うように実行可能である、ワイヤレス通信デバイス。
［Ｃ３９］
前記メッセージの一部分が、アクセス制限データを備える休止オクテット情報要素であり、アクセスを制限することが前記休止オクテット情報要素にさらに基づく、請求項３８に記載のワイヤレス通信デバイス。
［Ｃ４０］
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項３９に記載のワイヤレス通信デバイス。
［Ｃ４１］
前記ワイヤレス通信デバイスが記憶された優先度値を備え、アクセスを制限することは、前記優先度値が前記記憶された優先度値を備えるときに行われる、請求項３８に記載のワイヤレス通信デバイス。
［Ｃ４２］
通信チャネルへのアクセスを制限するためのコンピュータプログラム製品であって、前記コンピュータプログラム製品が、命令をその上に有する非一時的コンピュータ可読媒体を備え、前記命令が、
基地局に、少なくとも１つのワイヤレス通信デバイスに宛てられる、アクセス制限データを備えるメッセージを生成させるためのコードであって、前記アクセス制限データは、ワイヤレス通信デバイスのグループが優先度値に関連付けられることと、ワイヤレス通信デバイスの前記グループが通信チャネルへの制限付きアクセスを有することとを示す、生成させるためのコードと、
基地局に、前記少なくとも１つのワイヤレス通信デバイスに前記メッセージを送信させるためのコードと
を備える、コンピュータプログラム製品。
［Ｃ４３］
前記メッセージの一部分が、アクセス制限データを備える休止オクテット情報要素である、請求項４２に記載のコンピュータプログラム製品。
［Ｃ４４］
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項４３に記載のコンピュータプログラム製品。
［Ｃ４５］
前記アクセス制限データは、前記優先度値に関連するワイヤレス通信デバイスが制限付きアクセスを有する時間間隔を示す、請求項４２に記載のコンピュータプログラム製品。
［Ｃ４６］
ワイヤレス通信デバイス上で通信チャネルへのアクセスを制限するためのコンピュータプログラム製品であって、前記コンピュータプログラム製品が、命令をその上に有する非一時的コンピュータ可読媒体を備え、前記命令が、
ワイヤレス通信デバイスに、アクセス制限データを備えるメッセージを受信させるためのコードであって、前記アクセス制限データは、ワイヤレス通信デバイスのグループが優先度値に関連付けられることと、ワイヤレス通信デバイスの前記グループが通信チャネルへの制限付きアクセスを有することとを示す、受信させるためのコードと、
ワイヤレス通信デバイスに、前記アクセス制限データによって与えられた前記指示に基づいて前記通信チャネルへのアクセスを制限させるためのコードと
を備える、コンピュータプログラム製品。
［Ｃ４７］
前記メッセージの一部分が、アクセス制限データを備える休止オクテット情報要素であり、アクセスを制限することが前記休止オクテット情報要素にさらに基づく、請求項４６に記載のコンピュータプログラム製品。
［Ｃ４８］
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項４７に記載のコンピュータプログラム製品。
［Ｃ４９］
前記ワイヤレス通信デバイスが記憶された優先度値を備え、アクセスを制限することは、前記優先度値が前記記憶された優先度値を備えるときに行われる、請求項４６に記載のコンピュータプログラム製品。
［Ｃ５０］
通信チャネルへのアクセスを制限するための装置であって、
少なくとも１つのワイヤレス通信デバイスに宛てられる、アクセス制限データを備えるメッセージを生成するための手段であって、前記アクセス制限データは、ワイヤレス通信デバイスのグループが優先度値に関連付けられることと、ワイヤレス通信デバイスの前記グループが通信チャネルへの制限付きアクセスを有することとを示す、生成するための手段と、
前記少なくとも１つのワイヤレス通信デバイスに前記メッセージを送信するための手段と
を備える装置。
［Ｃ５１］
前記メッセージの一部分が、アクセス制限データを備える休止オクテット情報要素である、請求項５０に記載の装置。
［Ｃ５２］
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項５１に記載の装置。
［Ｃ５３］
前記アクセス制限データは、前記優先度値に関連するワイヤレス通信デバイスが制限付きアクセスを有する時間間隔を示す、請求項５０に記載のコンピュータプログラム製品。
［Ｃ５４］
ワイヤレス通信デバイスによる通信チャネルへのアクセスを制限するためのワイヤレス通信デバイスであって、
アクセス制限データを備えるメッセージを受信するための手段であって、前記アクセス制限データは、ワイヤレス通信デバイスのグループが優先度値に関連付けられることと、ワイヤレス通信デバイスの前記グループが通信チャネルへの制限付きアクセスを有することとを示す、受信するための手段と、
前記アクセス制限データによって与えられた前記指示に基づいて前記通信チャネルへのアクセスを制限するための手段と
を備える、ワイヤレス通信デバイス。
［Ｃ５５］
前記メッセージの一部分が、アクセス制限データを備える休止オクテット情報要素であり、アクセスを制限することが前記休止オクテット情報要素にさらに基づく、請求項５４に記載のワイヤレス通信デバイス。
［Ｃ５６］
前記休止オクテット情報要素が、
直接割当て拒否メッセージと、
直接割当て拡張メッセージと、
直接割当てメッセージと、
ページング要求タイプ１メッセージと、
ページング要求タイプ２メッセージと、
ページング要求タイプ３メッセージと
のうちの１つである、請求項５５に記載のワイヤレス通信デバイス。
［Ｃ５７］
前記ワイヤレス通信デバイスが記憶された優先度値を備え、アクセスを制限することは、前記優先度値が前記記憶された優先度値を備えるときに行われる、請求項５４に記載のワイヤレス通信デバイス。
【国際調査報告】
2014510507.tif 000043
2014510507.tif 000044
2014510507.tif 000045